(57)【特許請求の範囲】
【請求項１】
ユーザ端末装置と、三次元画像コンテンツを前記ユーザ端末装置に配信するコンテンツ配信装置とを有するコンテンツ配信システムであって、
前記ユーザ端末装置は、
撮像部と、
前記撮像部により継続して撮像している動画像データから、物品に付与されているコンテンツ識別情報を検出する配信コンテンツ情報取得部と、
三次元画像コンテンツの視聴に用いられる立体視用器具から得た情報に基づいて、三次元画像コンテンツの視聴が許可されていることを示す許可識別情報を取得する許可情報取得部と、
前記配信コンテンツ情報取得部が前記コンテンツ識別情報を検出する都度、検出された前記コンテンツ識別情報と前記許可情報取得部が取得した前記許可識別情報とを設定したコンテンツ配信要求を前記コンテンツ配信装置に送信するコンテンツ要求部と、
前記コンテンツ配信要求に対応して前記コンテンツ配信装置から配信される三次元画像コンテンツを受信する受信部と、
を備え、
前記コンテンツ配信装置は、
前記コンテンツ識別情報と、前記三次元画像コンテンツと、前記三次元画像コンテンツの視聴が許可される許可識別情報とを対応付けたコンテンツ管理情報を記憶するコンテンツ管理情報記憶部と、
前記ユーザ端末装置から前記コンテンツ識別情報を検出する都度送信される前記コンテンツ配信要求を受信する配信要求受信部と、
前記コンテンツ配信要求に設定されている前記コンテンツ識別情報及び前記許可識別情報が対応付けて前記コンテンツ管理情報に設定されている場合に配信可と判断する配信判断部と、
前記配信判断部により配信可と判断された場合に、前記コンテンツ配信要求に設定されている前記コンテンツ識別情報及び前記許可識別情報に対応して前記コンテンツ管理情報に設定されている前記三次元画像コンテンツを取得して前記ユーザ端末装置に配信するコンテンツ配信部と、
を備える、
ことを特徴とするコンテンツ配信システム。
【請求項２】
コンテンツ識別情報と、三次元画像コンテンツと、前記三次元画像コンテンツの視聴が許可される許可識別情報とを対応付けたコンテンツ管理情報を記憶するコンテンツ管理情報記憶部と、
ユーザ端末装置が撮像部により継続して撮像している動画像データから物品に付与されている前記コンテンツ識別情報を検出する都度送信され、かつ、検出された前記コンテンツ識別情報と三次元画像コンテンツの視聴に用いられる立体視用器具から得た情報に基づいて前記ユーザ端末装置が取得した許可識別情報とが設定されたコンテンツ配信要求を受信する配信要求受信部と、
前記コンテンツ配信要求に設定されている前記コンテンツ識別情報及び前記許可識別情報が対応付けて前記コンテンツ管理情報に設定されている場合に配信可と判断する配信判断部と、
前記配信判断部により配信可と判断された場合に、前記コンテンツ配信要求に設定されている前記コンテンツ識別情報及び前記許可識別情報に対応して前記コンテンツ管理情報に設定されている前記三次元画像コンテンツを取得して前記ユーザ端末装置に配信するコンテンツ配信部と、
を備えることを特徴とするコンテンツ配信装置。
【請求項３】
前記ユーザ端末装置から前記三次元画像コンテンツを示す情報が設定された許可識別情報割当要求を受信し、前記三次元画像コンテンツの視聴を許可する許可識別情報を割り当てて前記ユーザ端末装置に通知する処理と、前記許可識別情報割当要求が示す前記三次元画像コンテンツと対応付けて割り当てた前記許可識別情報を前記コンテンツ管理情報に設定する処理とを行う割当部をさらに備える、
ことを特徴とする請求項２に記載のコンテンツ配信装置。
【請求項４】
前記ユーザ端末装置から前記三次元画像コンテンツを示す情報が設定された許可識別情報割当要求を受信し、前記許可識別情報割当要求が示す前記三次元画像コンテンツに対応して前記コンテンツ管理情報に設定されている前記許可識別情報のうち未使用の前記許可識別情報を割り当てて前記ユーザ端末装置に通知する割当部をさらに備える、
ことを特徴とする請求項２に記載のコンテンツ配信装置。
【請求項５】
前記コンテンツ管理情報は、コンテンツ識別情報と、三次元画像コンテンツと、前記三次元画像コンテンツの視聴が許可される許可識別情報と、配信期間の情報とを対応付けた情報であり、
前記コンテンツ配信部は、前記配信判断部により配信可と判断された場合に、前記コンテンツ配信要求に設定されている前記コンテンツ識別情報及び前記許可識別情報と、現在時刻が含まれる前記配信期間の情報とに対応して前記コンテンツ管理情報に設定されている前記三次元画像コンテンツを取得して前記ユーザ端末装置に配信する、
ことを特徴とする請求項２から請求項４のいずれか１項に記載のコンテンツ配信装置。
【請求項６】
前記コンテンツ管理情報は、コンテンツ識別情報と、三次元画像コンテンツと、前記三次元画像コンテンツの視聴が許可される許可識別情報と、配信エリアの情報とを対応付けた情報であり、
前記コンテンツ配信要求には、前記ユーザ端末装置の現在位置の情報がさらに設定され、
前記コンテンツ配信部は、前記配信判断部により配信可と判断された場合に、前記コンテンツ配信要求に設定されている前記コンテンツ識別情報及び前記許可識別情報と、前記コンテンツ配信要求が示す前記現在位置が含まれる前記配信エリアの情報とに対応して前記コンテンツ管理情報に設定されている前記三次元画像コンテンツを取得して前記ユーザ端末装置に配信する、
ことを特徴とする請求項２から請求項５のいずれか１項に記載のコンテンツ配信装置。
【請求項７】
前記コンテンツ配信部は、前記配信判断部により配信可と判断された複数の前記コンテンツ配信要求それぞれについて前記コンテンツ管理情報から取得される前記三次元画像コンテンツを合成した三次元画像コンテンツを前記ユーザ端末装置に配信する、
ことを特徴とする請求項２から請求項６のいずれか１項に記載のコンテンツ配信装置。
【請求項８】
複数の前記物品のそれぞれに、同一の前記三次元画像コンテンツに対応した同一または異なるコンテンツ識別情報が付与される、
ことを特徴とする請求項２から請求項７のいずれか１項に記載のコンテンツ配信装置。
【請求項９】
同一の前記三次元画像コンテンツの視聴を許可する複数の前記立体視用器具のそれぞれに、同一または異なる許可識別情報が付与される、
ことを特徴とする請求項２から請求項８のいずれか１項に記載のコンテンツ配信装置。
【請求項１０】
複数の前記物品のそれぞれに、同一の前記三次元画像コンテンツに対応した異なるコンテンツ識別情報が付与され、
同一の前記三次元画像コンテンツの視聴を許可する複数の前記立体視用器具のそれぞれに、異なる許可識別情報が付与され、
前記コンテンツ識別情報と、前記コンテンツ識別情報により特定される三次元画像コンテンツの利用が登録された前記許可識別情報とを対応付けた利用登録情報を記憶する利用登録情報記憶部をさらに備え、
前記配信判断部は、前記コンテンツ配信要求に設定されている前記コンテンツ識別情報及び前記許可識別情報が対応付けて前記利用登録情報に設定されている場合に配信可と判断し、前記コンテンツ配信要求に設定されている前記コンテンツ識別情報が前記利用登録情報に設定されておらず、かつ、前記コンテンツ配信要求に設定されている前記コンテンツ識別情報及び前記許可識別情報が対応付けて前記コンテンツ管理情報に設定されている場合に配信可と判断し、前記コンテンツ配信要求に設定されている前記コンテンツ識別情報及び前記許可識別情報を対応付けて前記利用登録情報に登録する処理を行い、前記コンテンツ配信要求に設定されている前記コンテンツ識別情報と前記コンテンツ配信要求に設定されている前記許可識別情報とは異なる許可識別情報とが前記利用登録情報に設定されている場合に配信不可と判断する、
ことを特徴とする請求項２から請求項９のいずれか１項に記載のコンテンツ配信装置。
【請求項１１】
コンテンツ識別情報と、三次元画像コンテンツと、前記三次元画像コンテンツの視聴が許可される許可識別情報とを対応付けたコンテンツ管理情報を記憶するコンテンツ管理情報記憶部を有するコンテンツ配信装置が実行するコンテンツ配信方法であって、
配信要求受信部が、ユーザ端末装置が撮像部により継続して撮像している動画像データから物品に付与されている前記コンテンツ識別情報を検出する都度送信され、かつ、検出された前記コンテンツ識別情報と三次元画像コンテンツの視聴に用いられる立体視用器具から得た情報に基づいて前記ユーザ端末装置が取得した許可識別情報とが設定されたコンテンツ配信要求を受信する配信要求受信ステップと、
配信判断部が、前記コンテンツ配信要求に設定されている前記コンテンツ識別情報及び前記許可識別情報が対応付けて前記コンテンツ管理情報に設定されている場合に配信可と判断する配信判断ステップと、
コンテンツ配信部が、前記配信判断ステップにより配信可と判断された場合に、前記コンテンツ配信要求に設定されている前記コンテンツ識別情報及び前記許可識別情報に対応して前記コンテンツ管理情報に設定されている前記三次元画像コンテンツを取得して前記ユーザ端末装置に配信するコンテンツ配信ステップと、
を有することを特徴とするコンテンツ配信方法。
【発明の詳細な説明】
【技術分野】
【０００１】
本発明は、コンテンツ配信システム、コンテンツ配信装置及びコンテンツ配信方法に関する。
【背景技術】
【０００２】
右目用画像と左目用画像の視差を利用してコンテンツを３Ｄ（三次元）に見せる技術は公知の技術として広く知られている。また、（ゲーム）カードや雑誌に付された二次元バーコードをスマートフォンなどの端末で読み込み、二次元バーコードに紐付けられたコンテンツをダウンロードして視聴する技術や（例えば、特許文献１参照）、ゲーム機にメダルやＲＦＩＤ（Radio Frequency Identification）をかざすと、ＲＦＩＤに記憶しているキャラクターをゲーム画面内に読み込み、表示する技術がある（例えば、特許文献２参照）。
【先行技術文献】
【特許文献】
【０００３】
【特許文献１】特開２０１１−２２７９８号公報
【特許文献２】特開２０１４−５７７７６号公報
【発明の概要】
【発明が解決しようとする課題】
【０００４】
三次元画像コンテンツ、すなわち、動画や静止画などを三次元に見せるコンテンツを視聴するためには、三次元画像コンテンツ視聴用のＨＭＤ（ヘッドマウントディスプレイ）や眼鏡などの立体視用器具を用いることが多い。そのため、立体視用器具を所有していないユーザは、三次元画像コンテンツの配信を希望しない場合がある。
【０００５】
本発明は、このような事情を考慮してなされたもので、立体視用器具を所有しているユーザにのみ三次元画像コンテンツを配信することができるコンテンツ配信システム、コンテンツ配信装置及びコンテンツ配信方法を提供する。
【課題を解決するための手段】
【０００６】
上記目的を達成するために、本発明は、ユーザ端末装置と、三次元画像コンテンツを前記ユーザ端末装置に配信するコンテンツ配信装置とを有するコンテンツ配信システムであって、前記ユーザ端末装置は、三次元画像コンテンツを特定するコンテンツ識別情報を物品から取得する配信コンテンツ情報取得部と、三次元画像コンテンツの視聴に用いられる立体視用器具から得た情報に基づいて、三次元画像コンテンツの視聴が許可されていることを示す許可識別情報を取得する許可情報取得部と、前記配信コンテンツ情報取得部が取得した前記コンテンツ識別情報と前記許可情報取得部が取得した前記許可識別情報とを設定したコンテンツ配信要求を前記コンテンツ配信装置に送信するコンテンツ要求部と、前記コンテンツ配信要求に対応して前記コンテンツ配信装置から配信される三次元画像コンテンツを受信する受信部と、を備え、前記コンテンツ配信装置は、前記コンテンツ識別情報と、前記三次元画像コンテンツと、前記三次元画像コンテンツの視聴が許可される許可識別情報とを対応付けたコンテンツ管理情報を記憶するコンテンツ管理情報記憶部と、前記ユーザ端末装置から前記コンテンツ配信要求を受信する配信要求受信部と、前記コンテンツ配信要求に設定されている前記コンテンツ識別情報及び前記許可識別情報が対応付けて前記コンテンツ管理情報に設定されている場合に配信可と判断する配信判断部と、前記配信判断部により配信可と判断された場合に、前記コンテンツ配信要求に設定されている前記コンテンツ識別情報及び前記許可識別情報に対応して前記コンテンツ管理情報に設定されている前記三次元画像コンテンツを取得して前記ユーザ端末装置に配信するコンテンツ配信部と、を備える、ことを特徴とするコンテンツ配信システムである。
【０００７】
また、上記目的を達成するために、本発明は、コンテンツ識別情報と、三次元画像コンテンツと、前記三次元画像コンテンツの視聴が許可される許可識別情報とを対応付けたコンテンツ管理情報を記憶するコンテンツ管理情報記憶部と、ユーザ端末装置から、前記ユーザ端末装置が物品から取得した前記コンテンツ識別情報と、三次元画像コンテンツの視聴に用いられる立体視用器具から得た情報に基づいて前記ユーザ端末装置が取得した許可識別情報とが設定されたコンテンツ配信要求を受信する配信要求受信部と、前記コンテンツ配信要求に設定されている前記コンテンツ識別情報及び前記許可識別情報が対応付けて前記コンテンツ管理情報に設定されている場合に配信可と判断する配信判断部と、前記配信判断部により配信可と判断された場合に、前記コンテンツ配信要求に設定されている前記コンテンツ識別情報及び前記許可識別情報に対応して前記コンテンツ管理情報に設定されている前記三次元画像コンテンツを取得して前記ユーザ端末装置に配信するコンテンツ配信部と、を備えることを特徴とするコンテンツ配信装置である。
【０００８】
また、本発明は、上述したコンテンツ配信装置であって、前記ユーザ端末装置から前記三次元画像コンテンツを示す情報が設定された許可識別情報割当要求を受信し、前記三次元画像コンテンツの視聴を許可する許可識別情報を割り当てて前記ユーザ端末装置に通知する処理と、前記許可識別情報割当要求が示す前記三次元画像コンテンツと対応付けて割り当てた前記許可識別情報を前記コンテンツ管理情報に設定する処理とを行う割当部をさらに備える、ことを特徴とする。
【０００９】
また、本発明は、上述したコンテンツ配信装置であって、前記ユーザ端末装置から前記三次元画像コンテンツを示す情報が設定された許可識別情報割当要求を受信し、前記許可識別情報割当要求が示す前記三次元画像コンテンツに対応して前記コンテンツ管理情報に設定されている前記許可識別情報のうち未使用の前記許可識別情報を割り当てて前記ユーザ端末装置に通知する割当部をさらに備える、ことを特徴とする。
【００１０】
また、本発明は、上述したコンテンツ配信装置であって、前記コンテンツ管理情報は、コンテンツ識別情報と、三次元画像コンテンツと、前記三次元画像コンテンツの視聴が許可される許可識別情報と、配信期間の情報とを対応付けた情報であり、前記コンテンツ配信部は、前記配信判断部により配信可と判断された場合に、前記コンテンツ配信要求に設定されている前記コンテンツ識別情報及び前記許可識別情報と、現在時刻が含まれる前記配信期間の情報とに対応して前記コンテンツ管理情報に設定されている前記三次元画像コンテンツを取得して前記ユーザ端末装置に配信する、ことを特徴とする。
【００１１】
また、本発明は、上述したコンテンツ配信装置であって、前記コンテンツ管理情報は、コンテンツ識別情報と、三次元画像コンテンツと、前記三次元画像コンテンツの視聴が許可される許可識別情報と、配信エリアの情報とを対応付けた情報であり、前記コンテンツ配信要求には、前記ユーザ端末装置の現在位置の情報がさらに設定され、前記コンテンツ配信部は、前記配信判断部により配信可と判断された場合に、前記コンテンツ配信要求に設定されている前記コンテンツ識別情報及び前記許可識別情報と、前記コンテンツ配信要求が示す前記現在位置が含まれる前記配信エリアの情報とに対応して前記コンテンツ管理情報に設定されている前記三次元画像コンテンツを取得して前記ユーザ端末装置に配信する、ことを特徴とする。
【００１２】
また、本発明は、上述したコンテンツ配信装置であって、前記コンテンツ配信部は、前記配信判断部により配信可と判断された複数の前記コンテンツ配信要求それぞれについて前記コンテンツ管理情報から取得される前記三次元画像コンテンツを合成した三次元画像コンテンツを前記ユーザ端末装置に配信する、ことを特徴とする。
【００１３】
また、本発明は、上述したコンテンツ配信装置であって、複数の前記物品のそれぞれに、同一の前記三次元画像コンテンツに対応した同一または異なるコンテンツ識別情報が付与される、ことを特徴とする。
【００１４】
また、本発明は、上述したコンテンツ配信装置であって、同一の前記三次元画像コンテンツの視聴を許可する複数の前記立体視用器具のそれぞれに、同一または異なる許可識別情報が付与される、ことを特徴とする。
【００１５】
また、本発明は、上述したコンテンツ配信装置であって、複数の前記物品のそれぞれに、同一の前記三次元画像コンテンツに対応した異なるコンテンツ識別情報が付与され、同一の前記三次元画像コンテンツの視聴を許可する複数の前記立体視用器具のそれぞれに、異なる許可識別情報が付与され、前記コンテンツ識別情報と、前記コンテンツ識別情報により特定される三次元画像コンテンツの利用が登録された前記許可識別情報とを対応付けた利用登録情報を記憶する利用登録情報記憶部をさらに備え、前記配信判断部は、前記コンテンツ配信要求に設定されている前記コンテンツ識別情報及び前記許可識別情報が対応付けて前記利用登録情報に設定されている場合に配信可と判断し、前記コンテンツ配信要求に設定されている前記コンテンツ識別情報が前記利用登録情報に設定されておらず、かつ、前記コンテンツ配信要求に設定されている前記コンテンツ識別情報及び前記許可識別情報が対応付けて前記コンテンツ管理情報に設定されている場合に配信可と判断し、前記コンテンツ配信要求に設定されている前記コンテンツ識別情報及び前記許可識別情報を対応付けて前記利用登録情報に登録する処理を行い、前記コンテンツ配信要求に設定されている前記コンテンツ識別情報と前記コンテンツ配信要求に設定されている前記許可識別情報とは異なる許可識別情報とが前記利用登録情報に設定されている場合に配信不可と判断する、ことを特徴とする。
【００１６】
また、上記目的を達成するために、本発明は、コンテンツ識別情報と、三次元画像コンテンツと、前記三次元画像コンテンツの視聴が許可される許可識別情報とを対応付けたコンテンツ管理情報を記憶するコンテンツ管理情報記憶部を有するコンテンツ配信装置が実行するコンテンツ配信方法であって、配信要求受信部が、ユーザ端末装置から、前記ユーザ端末装置が物品から取得した前記コンテンツ識別情報と、三次元画像コンテンツの視聴に用いられる立体視用器具から得た情報に基づいて前記ユーザ端末装置が取得した許可識別情報とが設定されたコンテンツ配信要求を受信する配信要求受信ステップと、配信判断部が、前記コンテンツ配信要求に設定されている前記コンテンツ識別情報及び前記許可識別情報が対応付けて前記コンテンツ管理情報に設定されている場合に配信可と判断する配信判断ステップと、コンテンツ配信部が、前記配信判断ステップにより配信可と判断された場合に、前記コンテンツ配信要求に設定されている前記コンテンツ識別情報及び前記許可識別情報に対応して前記コンテンツ管理情報に設定されている前記三次元画像コンテンツを取得して前記ユーザ端末装置に配信するコンテンツ配信ステップと、を有することを特徴とするコンテンツ配信方法である。
【発明の効果】
【００１７】
本発明によれば、立体視用器具を所有しているユーザにのみ三次元画像コンテンツを配信することができる。
【図面の簡単な説明】
【００１８】
【図１】本発明の第１の実施形態によるコンテンツ配信システムの構成図である。
【図２】同実施形態によるコンテンツ配信装置の機能ブロック図である。
【図３】同実施形態によるユーザ端末装置の機能ブロック図である。
【図４】同実施形態によるＨＭＤ（ヘッドマウントディスプレイ）の外観図である。
【図５】同実施形態によるコンテンツ管理情報を示す図である。
【図６】同実施形態による登録情報を示す図である。
【図７】同実施形態によるコンテンツ管理情報の設定例を示す図である。
【図８】同実施形態によるコンテンツ管理情報の設定例を示す図である。
【図９】同実施形態によるコンテンツ管理情報の設定例を示す図である。
【図１０】同実施形態によるコンテンツ管理情報の設定例を示す図である。
【図１１】同実施形態によるコンテンツ管理情報の設定例を示す図である。
【図１２】同実施形態によるコンテンツ管理情報の設定例を示す図である。
【図１３】同実施形態によるユーザ端末装置のコンテンツ配信要求処理のフロー図である。
【図１４】同実施形態によるコンテンツ配信装置のコンテンツ配信処理のフロー図である。
【図１５】第２の実施形態によるコンテンツ配信装置の機能ブロック図である。
【図１６】同実施形態によるユーザ端末装置の機能ブロック図である。
【図１７】同実施形態によるコンテンツ管理情報を示す図である。
【図１８】同実施形態によるユーザ端末装置のコンテンツ配信要求処理のフロー図である。
【図１９】同実施形態によるコンテンツ配信装置のコンテンツ配信処理のフロー図である。
【図２０】第３の実施形態によるコンテンツ配信装置の機能ブロック図である。
【図２１】同実施形態によるユーザ端末装置の機能ブロック図である。
【図２２】同実施形態によるコンテンツ管理情報を示す図である。
【図２３】同実施形態によるユーザ端末装置のコンテンツ配信要求処理のフロー図である。
【図２４】同実施形態によるコンテンツ配信装置のコンテンツ配信処理のフロー図である。
【図２５】第４の実施形態によるコンテンツ配信装置の機能ブロック図である。
【図２６】同実施形態によるユーザ端末装置の機能ブロック図である。
【図２７】同実施形態によるコンテンツ管理情報を示す図である。
【図２８】第５の実施形態によるコンテンツ配信装置の機能ブロック図である。
【図２９】同実施形態によるユーザ端末装置の機能ブロック図である。
【図３０】同実施形態によるコンテンツ管理情報を示す図である。
【図３１】同実施形態によるユーザ端末装置のコンテンツ配信要求処理のフロー図である。
【図３２】同実施形態によるユーザ端末装置のコンテンツ配信要求処理のフロー図である。
【図３３】同実施形態によるコンテンツ配信装置のコンテンツ配信処理のフロー図である。
【図３４】同実施形態によるＨＭＤをユーザが使用する状況を示す図である。
【図３５】同実施形態によるコンテンツ管理情報の設定例を示す図である。
【図３６】同実施形態による配信用三次元画像コンテンツの生成例を示す図である。
【図３７】同実施形態による配信用三次元画像コンテンツの例を示す図である。
【図３８】同実施形態によるコンテンツ管理情報の設定例を示す図である。
【図３９】同実施形態によるユーザ端末装置が表示する三次元画像コンテンツの例を示す図である。
【発明を実施するための形態】
【００１９】
以下、図面を参照しながら本発明の実施形態を詳細に説明する。
【００２０】
［第１の実施形態］
図１は、本発明の第１の実施形態によるコンテンツ配信システムの構成図である。同図に示すように、コンテンツ配信システムは、コンテンツ配信装置１と、ユーザ端末装置３と、商品５と、ヘッドマウントディスプレイ（以下、「ＨＭＤ」と記載する。）７とを備えて構成される。コンテンツ配信装置１とユーザ端末装置３とは、インターネットなどのネットワーク９を介して接続される。同図では、ユーザ端末装置３、商品５、及び、ＨＭＤ７をそれぞれ１つのみ示しているが、現実には複数が存在する。また、コンテンツ配信装置１が複数台備えられてもよい。
【００２１】
コンテンツ配信装置１は、ユーザ端末装置３に三次元画像コンテンツを配信する。三次元画像コンテンツは、動画や静止画などの画像を三次元に見せるコンテンツデータである。本実施形態の三次元画像コンテンツは、表示画面の右半分に右目用画像を、左半分に左目用画像を表示させる。ユーザ端末装置３は、例えば、スマートフォン、タブレット端末などのコンピュータ端末であり、コンテンツ配信装置１から配信された三次元画像コンテンツをディスプレイに表示する。
【００２２】
商品５は、物品の一例であり、ユーザに有償あるは無償で提供される。例えば、商品５は、店舗などで販売されている商品でもよく、試供品など無料で配布される商品でもよい。商品５からは、配信コンテンツ情報を取得可能である。配信コンテンツ情報は、視聴可能な三次元画像コンテンツに関する情報を示す。例えば、配信コンテンツ情報は、視聴可能な三次元画像コンテンツを特定する情報であるコンテンツＩＤ（コンテンツ識別情報）と、三次元画像コンテンツをダウンロードするためのアクセス先のＵＲＬ（Universal Resource Locator）とを示す。なお、三次元画像コンテンツをダウンロードするためのアクセス先のＵＲＬがユーザ端末装置３に予め登録されている場合、あるいは、ユーザによりユーザ端末装置３に入力される場合、配信コンテンツ情報はコンテンツＩＤのみを示してもよい。例えば、商品５、商品５のパッケージ、商品５の商品タグ、商品５とともに提供されるカードや冊子等に配信コンテンツ情報が印刷されるか、配信コンテンツ情報を印刷したシールが貼付される。この場合、配信コンテンツ情報は、文字列や画像（例えば、二次元バーコードなど）により表される。あるいは、商品５、商品５のパッケージ、商品５の商品タグ、商品５とともに提供されるカードや冊子等に、配信コンテンツ情報を記憶したＲＦＩＤ（Radio Frequency Identification）を内蔵あるいは貼付してもよい。同一の三次元画像コンテンツに対して、複数の商品５それぞれに異なるコンテンツＩＤを用いてもよく、同一のコンテンツＩＤを用いてもよい。
【００２３】
ＨＭＤ７は、ユーザ端末装置３に表示される三次元画像コンテンツを視聴するために用いられる立体視用器具の一例である。ＨＭＤ７には、三次元画像コンテンツの視聴可否の判定に使用される許可識別情報が割り当てられる。本実施形態では、許可識別情報として、許可ＩＤを用いる。ＨＭＤ７からは、そのＨＭＤ７に割り当てられた許可ＩＤを表す許可情報を取得可能である。複数のＨＭＤ７それぞれに異なる許可ＩＤを割当ててもよく、同一の許可ＩＤを割当ててもよい。例えば、ＨＭＤ７、ＨＭＤ７のパッケージ、ＨＭＤ７の商品タグ、ＨＭＤ７とともに提供されるカードや冊子等に許可情報が印刷されるか、許可情報を印刷したシールが貼付される。この場合、許可情報は、例えば、許可ＩＤを表す文字列や画像（例えば、二次元バーコードなど）により表される。あるいは、ＨＭＤ７、ＨＭＤ７のパッケージ、ＨＭＤ７の商品タグ、ＨＭＤ７とともに提供されるカードや冊子等に許可情報を記憶したＲＦＩＤを内蔵あるいは貼付してもよい。立体視用器具は、ＨＭＤ７のほか、ユーザ端末装置３に表示される三次元画像コンテンツを視聴するために用いられる眼鏡であってもよい。
【００２４】
図２は、コンテンツ配信装置１の構成を示す機能ブロック図であり、本実施形態と関係する機能ブロックのみを抽出して示してある。コンテンツ配信装置１は、１台または複数台のコンピュータサーバにより実現され、通信部１１と、記憶部１２と、処理部１３とを備えて構成される。
【００２５】
通信部１１は、ネットワーク９を介して他の装置とデータを送受信する。
記憶部１２は、各種情報を記憶する。記憶部１２は、コンテンツ管理情報記憶部１２１と、利用登録情報記憶部１２２とを備えて構成される。
コンテンツ管理情報記憶部１２１は、コンテンツ管理情報を記憶する。コンテンツ管理情報は、コンテンツＩＤと、三次元画像コンテンツと、その三次元画像コンテンツの配信を許可する許可ＩＤとを対応付けた情報である。三次元画像コンテンツがコンテンツ配信装置１と接続される他の装置に記憶される場合、コンテンツ管理情報に三次元画像コンテンツの記憶場所を設定してもよい。
利用登録情報記憶部１２２は、利用登録情報を記憶する。利用登録情報は、コンテンツＩＤと、そのコンテンツＩＤの三次元画像コンテンツの配信を許可する許可ＩＤのうち、ユーザから三次元画像コンテンツの視聴に使用することが登録された許可ＩＤとを対応付けた情報である。
【００２６】
処理部１３は、配信要求受信部１３１と、配信判断部１３２と、コンテンツ配信部１３３とを備えて構成される。
配信要求受信部１３１は、ユーザ端末装置３から許可ＩＤ及びコンテンツＩＤが設定されたコンテンツ配信要求を受信する。
配信判断部１３２は、配信要求受信部１３１が受信したコンテンツ配信要求に設定されているコンテンツＩＤ及び許可ＩＤの組み合わせが、コンテンツ管理情報に登録されている場合に、配信可と判断する。なお、同一の三次元画像コンテンツであっても、商品５毎に異なるコンテンツＩＤが用いられ、かつ、ＨＭＤ７毎に異なる許可ＩＤが割り当てられるときには、配信判断部１３２は、受信したコンテンツ配信要求に設定されているコンテンツＩＤ及び許可ＩＤの組み合わせが利用登録情報に登録されている場合に、配信可と判断する。あるいは、配信判断部１３２は、コンテンツ配信要求に設定されているコンテンツＩＤ及び許可ＩＤの組み合わせが利用登録情報に登録されておらず、かつ、コンテンツ管理情報に設定されている場合に配信可と判断する。この場合、配信判断部１３２は、そのコンテンツＩＤと許可ＩＤの組み合わせを利用登録情報に登録する。そして、配信判断部１３２は、コンテンツ配信要求に設定されているコンテンツＩＤ及び許可ＩＤの組み合わせが利用登録情報にもコンテンツ管理情報にも設定されていない場合には配信不可と判断する。
コンテンツ配信部１３３は、配信判断部１３２により配信可と判断された場合に、コンテンツ配信要求に設定されているコンテンツＩＤ及び許可ＩＤに対応してコンテンツ管理情報に設定されている三次元画像コンテンツを、コンテンツ配信要求元のユーザ端末装置３に配信する。
【００２７】
図３は、ユーザ端末装置３の構成を示す機能ブロック図であり、本実施形態と関係する機能ブロックのみを抽出して示してある。ユーザ端末装置３は、例えば、スマートフォン、タブレット端末、携帯電話端末、可搬のパーソナルコンピュータなどである。以下では、ユーザ端末装置３がスマートフォンである場合を例に説明する。ユーザ端末装置３は、通信部３１と、入力部３２と、撮像部３３と、処理部３４と、表示部３５とを備えて構成される。なお、配信コンテンツ情報や許可情報がＲＦＩＤに記憶されている場合、ユーザ端末装置３は、タグリーダを備える。
【００２８】
通信部３１は、ネットワーク９を介して情報を送受信する。入力部３２は、ユーザの操作による情報の入力を受ける。撮像部３３は、カメラである。処理部３４は、許可情報取得部３４１と、配信コンテンツ情報取得部３４２と、コンテンツ要求部３４３と、受信部３４４と、表示制御部３４５とを備えて構成される。許可情報取得部３４１は、撮像部３３が撮像したＨＭＤ７の許可情報、または、タグリーダが読み出したＨＭＤ７の許可情報から許可ＩＤを取得する。配信コンテンツ情報取得部３４２は、撮像部３３が撮像した商品５の配信コンテンツ情報、または、タグリーダが読み出した商品５の配信コンテンツ情報から、コンテンツＩＤとアクセス先のＵＲＬとを取得する。コンテンツ要求部３４３は、コンテンツＩＤ及び許可ＩＤを設定したコンテンツ配信要求を、アクセス先のＵＲＬを宛先に用いてコンテンツ配信装置１に送信する。受信部３４４は、コンテンツ配信装置１から配信された三次元画像コンテンツなどのデータを受信する。表示制御部３４５は、コンテンツ配信装置１から配信されたデータを表示部３５に表示させる。表示部３５は、ディスプレイであり、データを表示する。ユーザ端末装置３がスマートフォンである場合、表示部３５はタッチパネルであり、入力部３２はタッチパネルに配されたセンサである。
【００２９】
図４は、ＨＭＤ７の外観図である。同図は、ユーザ端末装置３としてスマートフォンを利用する場合のＨＭＤ７の例を示している。
ＨＭＤ７が備える右目用レンズ７１は、ユーザ端末装置３がディスプレイの右側に表示する右目用画像を見るためのレンズであり、ＨＭＤ７が備える左目用レンズ７２は、ユーザ端末装置３がディスプレイの左側に表示する左目用画像を見るためのレンズである。ＨＭＤ７には、右目用レンズ７１を通して左目用画像が見えないように、また、左目用レンズ７２を通して右目用画像が見えないように仕切り７３が取り付けられる。ユーザは、ユーザ端末装置３の画面が表示する右目用画像と左目用画像の区切り付近に、仕切り７３のレンズとは反対側の縁が重なるように、ユーザ端末装置３をＨＭＤ７にセットする。ユーザは、右目用レンズ７１及び左目用レンズ７２を通して、ユーザ端末装置３が表示する三次元画像コンテンツを視聴する。ＨＭＤ７の筐体は、例えば、紙により組み立てることができる。
【００３０】
図５は、コンテンツ管理情報のデータ構成例を示す図である。同図に示すコンテンツ管理情報は、コンテンツＩＤと、三次元画像コンテンツ（または三次元画像コンテンツの記憶場所）と、三次元画像コンテンツの視聴を許可する許可ＩＤとを対応付けた情報である。１つのコンテンツＩＤに、１または複数の三次元画像コンテンツが対応し得る。また、１つの三次元画像コンテンツに、１または複数のコンテンツＩＤが対応し得る。また、１つのコンテンツＩＤに、１または複数の許可ＩＤが対応し得る。
【００３１】
図６は、登録情報のデータ構成例を示す図である。同図に示すように、登録情報は、許可ＩＤと、ユーザがその許可ＩＤによる視聴を登録した三次元画像コンテンツのコンテンツＩＤとを対応付けた情報である。１つの許可ＩＤには、１または複数のコンテンツＩＤが対応付けられる。また、１つのコンテンツＩＤには、１または複数の許可ＩＤが対応付けられる。
【００３２】
続いて、コンテンツ配信システムの動作について説明する。
まず、コンテンツ配信業者は、コンテンツ管理情報記憶部１２１にコンテンツ管理情報を登録しておく。そして、コンテンツ管理情報に登録されたコンテンツＩＤを示す配信コンテンツ情報が付与された商品５は、ユーザに店舗等で販売されるか、店舗や駅、路上などで無料配布される。さらに、コンテンツ管理情報に登録された許可ＩＤを示す許可情報が付与されたＨＭＤ７が、ユーザに販売または無料で配布される。例えば、ＨＭＤ７を、商品５とセットで、あるいは、商品５とは別に販売してもよく、商品５の付録として配布してもよく、商品５と共に無料で配布してもよい。
【００３３】
例えば、商品５が雑誌、絵本、図鑑などの書籍であるとする。この場合、例えば、書籍の各ページや一部のページに、そのページの内容に関連する三次元画像コンテンツの配信コンテンツ情報を印刷する。書籍に印刷された配信コンテンツ情報を用いて配信される三次元画像コンテンツを視聴するための複数のＨＭＤ７には、同じ許可ＩＤを付与してもよく、各ＨＭＤ７に異なる許可ＩＤを付与してもよい。
【００３４】
図７は、１つの三次元画像コンテンツに１つのコンテンツＩＤを割り当て、同じ種類の商品５には共通の許可ＩＤのＨＭＤ７を利用する場合のコンテンツ管理情報の設定例を示す図である。
例えば、雑誌Ａ（商品５）により、コンテンツＡ１、Ａ２、Ａ３、Ａ４を視聴可能とし、雑誌Ｂ（商品５）により、コンテンツＢ１、Ｂ２、Ｂ３、Ａ４を視聴可能とする。コンテンツＡ１、Ａ２、Ａ３、Ａ４、Ｂ１、Ｂ２、Ｂ３は、三次元画像コンテンツである。そして、コンテンツＡ１、Ａ２、Ａ３、Ａ４、Ｂ１、Ｂ２、Ｂ３のそれぞれに、コンテンツＩＤ「Ａ１」、「Ａ２」、「Ａ３」、「Ａ４」、「Ｂ１」、「Ｂ２」、「Ｂ３」を割り当てる。また、雑誌Ａ用のＨＭＤ７に許可ＩＤ「Ｐａ」を割り当て、雑誌Ｂ用のＨＭＤ７に許可ＩＤ「Ｐｂ」を割り当てる。
【００３５】
この場合、コンテンツ管理情報に、コンテンツＩＤ「Ａ１」とコンテンツＡ１、コンテンツＩＤ「Ａ２」とコンテンツＡ２、コンテンツＩＤ「Ａ３」とコンテンツＡ３、コンテンツＩＤ「Ａ４」とコンテンツＡ４、コンテンツＩＤ「Ｂ１」とコンテンツＢ１、コンテンツＩＤ「Ｂ２」とコンテンツＢ２、コンテンツＩＤ「Ｂ３」とコンテンツＢ３を対応付けて登録する。さらに、コンテンツ管理情報に、コンテンツＩＤ「Ａ１」、「Ａ２」、「Ａ３」と対応付けて許可ＩＤ「Ｐａ」を、コンテンツＩＤ「Ｂ１」、「Ｂ２」、「Ｂ３」と対応付けて許可ＩＤ「Ｐｂ」を、コンテンツＩＤ「Ａ４」と対応付けて許可ＩＤ「Ｐａ」及び「Ｐｂ」を登録する。
【００３６】
そして、雑誌Ａには、コンテンツＩＤ「Ａ１」、「Ａ２」、「Ａ３」、「Ａ４」それぞれを示す配信コンテンツ情報を印刷し、雑誌Ｂには、コンテンツＩＤ「Ｂ１」、「Ｂ２」、「Ｂ３」、「Ａ４」それぞれを示す配信コンテンツ情報を印刷する。雑誌Ａの付録のＨＭＤ７には許可ＩＤ「Ｐａ」を示す許可情報を印刷し、雑誌Ｂの付録のＨＭＤ７には許可ＩＤ「Ｐｂ」を示す許可情報を印刷する。
【００３７】
なお、１つの三次元画像コンテンツに商品５の種類毎に異なるコンテンツＩＤを割り当てる場合、例えば、コンテンツＡ４にコンテンツＩＤ「Ａ４」及びコンテンツＩＤ「Ｂ４」を割り当てる。そして、コンテンツ管理情報に、コンテンツＩＤ「Ａ４」と対応付けてコンテンツＡ４及び許可ＩＤ「Ｐａ」を登録し、コンテンツＩＤ「Ｂ４」と対応付けて、コンテンツＡ４及び許可ＩＤ「Ｐｂ」を登録する。雑誌Ａには、コンテンツＩＤ「Ａ４」を示す配信コンテンツ情報を印刷し、雑誌Ｂには、コンテンツＩＤ「Ｂ４」を示す配信コンテンツ情報を印刷する。
【００３８】
図８は、１または複数の三次元画像コンテンツに１つのコンテンツＩＤを割り当て、関連がある異なる種類の商品５に共通の許可ＩＤのＨＭＤ７を利用する場合のコンテンツ管理情報の設定例を示す図である。例えば、関連がある異なる種類の商品５は、同じシリーズの絵本、複数巻からなる図鑑、異なる発行月の月刊誌などである。
例えば、同じ絵本シリーズの絵本Ｃ（商品５）と絵本Ｄ（商品５）があるとする。絵本Ｃにより、コンテンツＣ１、Ｃ２−１、Ｃ２−２を視聴可能とし、絵本Ｄにより、コンテンツＤ１、Ｄ２−１、Ｄ２−２を視聴可能とする。コンテンツＣ１、Ｃ２−１、Ｃ２−２、Ｄ１、Ｄ２−１、Ｄ２−２は、三次元画像コンテンツである。そして、コンテンツＣ１にコンテンツＩＤ「Ｃ１」を、コンテンツＣ２−１及びＣ２−２にコンテンツＩＤ「Ｃ２」を、コンテンツＤ１にコンテンツＩＤ「Ｄ１」を、コンテンツＤ２−１及びＤ２−２にコンテンツＩＤ「Ｄ２」を割り当てる。また、この絵本シリーズに共通して使用されるＨＭＤ７には許可ＩＤ「Ｐｃ」を割り当てる。
【００３９】
この場合、コンテンツ管理情報に、コンテンツＩＤ「Ｃ１」とコンテンツＣ１、コンテンツＩＤ「Ｃ２」とコンテンツＣ２−１及びＣ２−２、コンテンツＩＤ「Ｄ１」とコンテンツＤ１、コンテンツＩＤ「Ｄ２」とコンテンツＤ２−１及びＤ２−２を対応付けて登録する。さらに、コンテンツ管理情報に、コンテンツＩＤ「Ｃ１」、「Ｃ２」、「Ｄ１」、「Ｄ２」と対応付けて許可ＩＤ「Ｐｃ」を登録する。
【００４０】
そして、絵本Ｃには、コンテンツＩＤ「Ｃ１」、「Ｃ２」のそれぞれを示す配信コンテンツ情報を印刷し、絵本Ｄには、コンテンツＩＤ「Ｄ１」、「Ｄ２」のそれぞれを示す配信コンテンツ情報を印刷する。この絵本シリーズに共通して使用されるＨＭＤ７には許可ＩＤ「Ｐｃ」を示す許可情報を印刷し、絵本Ｃや絵本Ｄとは別に販売するか、絵本Ｃや絵本Ｄを購入したユーザに配布する。また、他の絵本を購入したユーザに絵本Ｃや絵本Ｄが含まれる絵本シリーズのチラシと一緒に配布してもよい。
【００４１】
上記の設定により、ユーザ端末装置３が、絵本Ｃから取得したコンテンツＩＤ「Ｃ２」と、ＨＭＤ７から取得した許可ＩＤ「Ｐｃ」とを設定したコンテンツ配信要求をコンテンツ配信装置１に送信した場合、コンテンツ配信装置１は、コンテンツＣ２−１及びコンテンツＣ２−２の両方を配信するか、ユーザが選択したコンテンツＣ２−１またはコンテンツＣ２−２を配信する。
【００４２】
図９は、１つの三次元画像コンテンツに１つのコンテンツＩＤを割り当て、同じ種類の商品５のＨＭＤ７にそれぞれ異なる許可ＩＤを付与する場合のコンテンツ管理情報の設定例を示す図である。
例えば、雑誌Ａ（商品５）により、三次元画像コンテンツであるコンテンツＡ１、Ａ２、Ａ３を視聴可能とする。雑誌Ａの付録のＨＭＤ７には、許可ＩＤ「Ｐａ００００」〜「Ｐａ９９９９」を使用する。
この場合、コンテンツ管理情報に、コンテンツＩＤ「Ａ１」とコンテンツＡ１、コンテンツＩＤ「Ａ２」とコンテンツＡ２、コンテンツＩＤ「Ａ３」とコンテンツＡ３を対応付けて登録する。さらに、コンテンツ管理情報に、コンテンツＩＤ「Ａ１」、「Ａ２」、及び「Ａ３」と対応付けて許可ＩＤ「Ｐａ００００〜Ｐａ９９９９」を登録する。
【００４３】
そして、１００００部の雑誌Ａには、コンテンツＩＤ「Ａ１」、「Ａ２」、「Ａ３」それぞれを示す配信コンテンツ情報を印刷する。さらに、この１００００部の雑誌Ａの付録のＨＭＤ７のそれぞれには、重複がないように、許可ＩＤ「Ｐａ００００」〜「Ｐａ９９９９」のいずれかを示す許可情報を印刷するなどして付与する。
【００４４】
また、例えば、商品５が、ゲームやアニメーションに登場する各キャラクターのカード（ゲームカードなど）、メダル、フィギュアなどであるとする。この場合、各商品５には、キャラクターに関連する三次元画像コンテンツの配信コンテンツ情報が印刷される。ＨＭＤ７は、商品５とは別に販売される。
【００４５】
図１０は、１つの三次元画像コンテンツに１つのコンテンツＩＤを割り当て、同じ商品シリーズで使用するＨＭＤ７それぞれに異なる許可ＩＤを割り当てる場合のコンテンツ管理情報の設定例を示す図である。
例えば、あるゲームカードシリーズがあり、このゲームカードシリーズを構成するカードＥ１、Ｅ２、Ｅ３、…（商品５）それぞれにより、三次元画像コンテンツであるコンテンツＥ１、Ｅ２、Ｅ３、…を視聴可能とする。また、このゲームカードシリーズのＨＭＤ７には、許可ＩＤ「Ｐｅ００００」〜「Ｐｅ９９９９」を使用する。
【００４６】
この場合、コンテンツ管理情報に、コンテンツＩＤ「Ｅ１」とコンテンツＥ１、コンテンツＩＤ「Ｅ２」とコンテンツＥ２、コンテンツＩＤ「Ｅ３」とコンテンツＥ３を対応付けて登録する。さらに、コンテンツ管理情報に、コンテンツＩＤ「Ｅ１」、「Ｅ２」、「Ｅ３」、…と対応付けて許可ＩＤ「Ｐｅ００００〜Ｐｅ９９９９」を登録する。
【００４７】
そして、カードＥ１にはコンテンツＩＤ「Ｅ１」を示す配信コンテンツ情報を、カードＥ２にはコンテンツＩＤ「Ｅ２」を示す配信コンテンツ情報を、カードＥ３にはコンテンツＩＤ「Ｅ３」を示す配信コンテンツ情報を印刷する。また、ゲームカードシリーズの三次元画像コンテンツを視聴するための１００００個のＨＭＤ７にはそれぞれには、重複がないように、許可ＩＤ「Ｐｅ００００」〜「Ｐｅ９９９９」のいずれかを示す許可情報を印刷するなどして付与する。
【００４８】
なお、許可ＩＤの一部、例えば、許可ＩＤの先頭から所定数の文字や数字などを、グループを特定する情報として用いてもよい。この場合、コンテンツ管理情報には、コンテンツＩＤと対応付けて、三次元画像コンテンツの視聴を許可する許可ＩＤのグループを登録する。例えば、上記のゲームカードのシリーズの場合、許可ＩＤの先頭から２文字目までの「Ｐｅ」が、このシリーズに対応したグループを表すとする。ゲームカードシリーズの三次元画像コンテンツを視聴するための複数のＨＭＤ７にはそれぞれ、「Ｐｅ」から始まる許可ＩＤを重複がないように割り当てる。コンテンツ管理情報には、コンテンツＩＤ「Ｅ１」、「Ｅ２」、「Ｅ３」、…と対応付けて許可ＩＤのグループ「Ｐｅ」を登録しておく。
【００４９】
図１１は、１つの三次元画像コンテンツに商品５（カード）毎に異なるコンテンツＩＤを割り当て、同じ商品シリーズで使用するＨＭＤ７それぞれに異なる許可ＩＤを割り当てる場合のコンテンツ管理情報の設定例を示す図である。
例えば、あるゲームカードシリーズがあり、このゲームカードシリーズを構成するカードＥ１、Ｅ２、Ｅ３、…（商品５）それぞれにより、三次元画像コンテンツであるコンテンツＥ１、Ｅ２、Ｅ３、…を視聴可能とする。コンテンツＥ１にはコンテンツＩＤ「Ｅ１００００」〜「Ｅ１９９９９」を割り当て、コンテンツＥ２にはコンテンツＩＤ「Ｅ２００００」〜「Ｅ２９９９９」を割り当て、コンテンツＥ３にはコンテンツＩＤ「Ｅ３００００」〜「Ｅ３９９９９」を割り当てる。また、このゲームカードシリーズのＨＭＤ７には、許可ＩＤ「Ｐｅ００００」〜「Ｐｅ９９９９」を使用する。
【００５０】
この場合、コンテンツ管理情報には、コンテンツＩＤ「Ｅ１００００〜Ｅ１９９９９」とコンテンツＥ１、コンテンツＩＤ「Ｅ２００００〜Ｅ２９９９９」とコンテンツＥ２、コンテンツＩＤ「Ｅ３００００〜Ｅ３９９９９」とコンテンツＥ３を対応付けて登録しておく。さらに、コンテンツ管理情報には、コンテンツＩＤ「Ｅ１００００〜Ｅ１９９９９」、「Ｅ２００００〜Ｅ２９９９９」、「Ｅ３００００〜Ｅ３９９９９」、…と対応付けて許可ＩＤ「Ｐｅ００００〜Ｐｅ９９９９」を登録しておく。
【００５１】
そして、１００００枚のカードＥ１には、重複がないように、コンテンツＩＤが「Ｅ１００００」〜「Ｅ１９９９９」のいずれかを示す配信コンテンツ情報を印刷し、１００００枚のカードＥ２には、重複がないように、コンテンツＩＤが「Ｅ２００００」〜「Ｅ２９９９９」のいずれかを示す配信コンテンツ情報を印刷し、カードＥ３には、重複がないように、コンテンツＩＤ「Ｅ３００００〜Ｅ３９９９９」のいずれかを示す配信コンテンツ情報を印刷する。また、ゲームカードシリーズの三次元画像コンテンツを視聴するための１００００個のＨＭＤ７にはそれぞれには、重複がないように、許可ＩＤ「Ｐｅ００００」〜「Ｐｅ９９９９」のいずれかを示す許可情報を印刷するなどして付与する。
【００５２】
図１２は、１または複数の三次元画像コンテンツに商品５（カード）毎に異なるコンテンツＩＤを割り当て、同じ商品シリーズで使用するＨＭＤ７それぞれに異なる許可ＩＤを割り当てる場合のコンテンツ管理情報の設定例を示す図である。
例えば、あるゲームカードシリーズがあり、このゲームカードシリーズを構成するカードＥ１、Ｅ２、Ｅ３、…（商品５）それぞれにより、三次元画像コンテンツであるコンテンツＥ１、Ｅ２、Ｅ３、…を視聴可能とする。コンテンツＥ１にはコンテンツＩＤ「Ｅ１００００」〜「Ｅ１９９９９」を割り当て、コンテンツＥ２にはコンテンツＩＤ「Ｅ２００００」〜「Ｅ２９９９９」を割り当て、コンテンツＥ３にはコンテンツＩＤ「Ｅ３００００」〜「Ｅ３９９９９」を割り当てる。
また、このゲームカードシリーズのＨＭＤ７には、許可ＩＤ「Ｐｅ００００」〜「Ｐｅ９９９９」を使用する。そして、このＨＭＤ７のうち、特別に発売された１００個のＨＭＤ７には許可ＩＤ「Ｐｅ００００」〜「Ｐｅ００９９」を使用し、カードＥ１、Ｅ２、Ｅ３、…それぞれにより、特典の三次元画像コンテンツであるコンテンツＥａ、Ｅｂ、Ｅｃ、…をさらに視聴可能とする。
【００５３】
この場合、コンテンツ管理情報には、コンテンツＩＤ「Ｅ１００００〜Ｅ１９９９９」と、コンテンツＥ１及びコンテンツＥａと、許可ＩＤ「Ｐｅ００００」〜「Ｐｅ００９９」とを対応付けて保存し、コンテンツＩＤ「Ｅ１００００〜Ｅ１９９９９」と、コンテンツＥ１と、許可ＩＤ「Ｐｅ０１００」〜「Ｐｅ９９９９」とを対応付けて登録しておく。同様に、コンテンツ管理情報には、コンテンツＩＤ「Ｅ２００００〜Ｅ２９９９９」と、コンテンツＥ２及びコンテンツＥｂと、許可ＩＤ「Ｐｅ００００」〜「Ｐｅ００９９」とを対応付けて保存し、コンテンツＩＤ「Ｅ２００００〜Ｅ２９９９９」と、コンテンツＥ２と、許可ＩＤ「Ｐｅ０１００」〜「Ｐｅ９９９９」とを対応付けて登録しておく。
【００５４】
そして、１００００枚のカードＥ１には、重複がないように、コンテンツＩＤが「Ｅ１００００」〜「Ｅ１９９９９」のいずれかを示す配信コンテンツ情報を印刷し、１００００枚のカードＥ２には、重複がないように、コンテンツＩＤが「Ｅ２００００」〜「Ｅ２９９９９」のいずれかを示す配信コンテンツ情報を印刷し、カードＥ３には、重複がないように、コンテンツＩＤ「Ｅ３００００〜Ｅ３９９９９」のいずれかを示す配信コンテンツ情報を印刷する。また、ゲームカードシリーズの三次元画像コンテンツを視聴するための１００００個のＨＭＤ７のうち、特別に発売する１００個には、重複がないように許可ＩＤ「Ｐｅ００００」〜「Ｐｅ００９９」のいずれかを示す許可情報を印刷し、それ以外の通常発売するＨＭＤ７には、重複がないように許可ＩＤ「Ｐｅ０１００」〜「Ｐｅ９９９９」のいずれかを示す許可情報を印刷する。
【００５５】
また、商品５とＨＭＤ７のセットが、観光地や博物館などで販売されるお土産品であってもよい。例えば、商品５は、観光地の景色や歴史などその観光地についての紹介文と、その紹介文に関連した三次元画像コンテンツのコンテンツＩＤを示す配信コンテンツ情報との一覧が印刷された小冊子や絵葉書である。あるいは、商品５は、観光地の代表的な建造物を模した置物や、観光地のマスコットキャラクターのぬいぐるみやステーショナリーグッズ等であってもよい。またあるいは、商品５は、博物館の展示物についての解説と、その展示物に関連した三次元画像コンテンツを表す配信コンテンツ情報との一覧が印刷されたパンフレットであってもよい。
【００５６】
コンテンツ管理情報が設定された後、商品５とＨＭＤ７がユーザに配布される。商品５とＨＭＤ７を入手したユーザのユーザ端末装置３は、図１３に示すようにコンテンツ配信要求処理を行い、コンテンツ配信装置１は、図１４に示すようにコンテンツ配信処理を行う。なお、コンテンツ配信装置１の処理部１３は通信部１１を介してユーザ端末装置３とデータを送受信し、ユーザ端末装置３の処理部３４は通信部３１を介してコンテンツ配信装置１とデータを送受信するが、それらの処理の記載を省略する。
【００５７】
図１３は、ユーザ端末装置３におけるコンテンツ配信要求処理のフロー図である。
まず、ユーザ端末装置３は、入力部３２によりユーザが入力した指示に従って、撮像部３３により、ＨＭＤ７の許可情報を撮像する。許可情報取得部３４１は、撮像部３３が撮像した許可情報から許可ＩＤを取得する（ステップＳ１０５）。なお、許可情報取得部３４１は、過去に取得した許可ＩＤを記憶しておき、その許可ＩＤを読み出してもよい。さらに、ユーザ端末装置３は、入力部３２によりユーザが入力した指示に従って、撮像部３３により、商品５の配信コンテンツ情報を撮像する。配信コンテンツ情報取得部３４２は、撮像部３３が撮像した配信コンテンツ情報の画像データから、コンテンツ配信要求先のＵＲＬと、コンテンツＩＤとを取得する（ステップＳ１１０）。
【００５８】
入力部３２によりユーザがコンテンツ配信要求の送信指示を入力すると、コンテンツ要求部３４３は、ステップＳ１１０において取得したＵＲＬを宛先としてコンテンツ配信要求を送信する（ステップＳ１１５）。コンテンツ配信要求には、ステップＳ１０５において取得した許可ＩＤと、ステップＳ１１０において取得したコンテンツＩＤとが設定される。受信部３４４が、コンテンツ配信要求に対応してコンテンツ配信装置１から三次元画像コンテンツを受信した場合（ステップＳ１２０：ＹＥＳ）、表示制御部３４５は、受信した三次元画像コンテンツを表示部３５に表示させる（ステップＳ１２５）。
【００５９】
一方、受信部３４４が、コンテンツ配信要求に対応してコンテンツ配信装置１からエラー画面データを受信した場合（ステップＳ１２０：ＮＯ、ステップＳ１３０：ＹＥＳ）、表示制御部３４５は、受信したエラー画面データを表示部３５に表示させる（ステップＳ１３５）。
【００６０】
処理部３４は、ステップＳ１２５またはステップＳ１３５の処理の後、あるいは、三次元画像コンテンツもエラー画面データも受信しなかった場合（ステップＳ１２０：ＮＯ、ステップＳ１３０：ＮＯ）、処理を終了する。なお、処理部３４は、三次元画像コンテンツもエラー画面データも受信しなかった場合、ステップＳ１１５またはステップＳ１２０からの処理を行ってもよい。
なお、ステップＳ１０５とステップＳ１１０の処理順は逆でもよい。
【００６１】
図１４は、コンテンツ配信装置１におけるコンテンツ配信処理のフロー図である。
コンテンツ配信装置１の配信要求受信部１３１は、ユーザ端末装置３からコンテンツ配信要求を受信する（ステップＳ２０５）。配信判断部１３２は、受信したコンテンツ配信要求からコンテンツＩＤ及び許可ＩＤを取得し（ステップＳ２１０）、登録情報に、取得したコンテンツＩＤと取得した許可ＩＤとが対応付けて登録されているか否かを判断する（ステップＳ２１５）。
【００６２】
配信判断部１３２は、登録情報に、取得したコンテンツＩＤと取得した許可ＩＤとが対応付けて登録されてないと判断した場合（ステップＳ２１５：ＮＯ）、ステップＳ２２０の処理を行う。すなわち、配信判断部１３２は、記憶部１２に予め記憶されている情報に基づいて、同じ三次元画像コンテンツであっても同じ種類の複数の商品５それぞれに異なるコンテンツＩＤが割り当てられているか否かを判断する(ステップＳ２２０）。
配信判断部１３２は、同じ種類の商品５には同じ三次元画像コンテンツに同一のコンテンツＩＤが割り当てられていると判断した場合（ステップＳ２２０：ＮＯ）、後述するステップＳ２３０の処理を行う。
一方、配信判断部１３２は、同じ三次元画像コンテンツであっても同じ種類の複数の商品５それぞれに異なるコンテンツＩＤが割り当てられていると判断した場合（ステップＳ２２０：ＹＥＳ）、ステップＳ２２５の処理を行う。すなわち、配信判断部１３２は、登録情報に、コンテンツ配信要求から取得したコンテンツＩＤとコンテンツ配信要求から取得した許可ＩＤとは異なる許可ＩＤとが対応付けて登録されている否かを判断する（ステップＳ２２５）。配信判断部１３２は、登録情報に、コンテンツ配信要求から取得したコンテンツＩＤとコンテンツ配信要求から取得した許可ＩＤとは異なる許可ＩＤとが対応付けて登録されていない、すなわち、登録情報に、コンテンツ配信要求から取得したコンテンツＩＤが未登録であると判断した場合（ステップＳ２２５：ＮＯ）、ステップＳ２３０の処理を行う。
【００６３】
配信判断部１３２は、ステップＳ２２０またはステップＳ２２５においてＮＯと判断された場合、コンテンツ管理情報に、コンテンツ配信要求から取得したコンテンツＩＤと許可ＩＤとが対応付けて登録されているか否かを判断する（ステップＳ２３０）。配信判断部１３２は、コンテンツ管理情報に、コンテンツ配信要求から取得したコンテンツＩＤと許可ＩＤとが対応付けて登録されていると判断した場合（ステップＳ２３０：ＹＥＳ）、要求された三次元画像コンテンツの配信可と判断する。なお、コンテンツ管理情報に許可ＩＤのグループが設定されている場合、配信判断部１３２は、コンテンツ管理情報に、コンテンツ配信要求から取得したコンテンツＩＤと、コンテンツ配信要求から取得した許可ＩＤが属するグループとが対応付けて登録されている場合、ステップＳ２３０においてＹＥＳと判断する。配信判断部１３２は、受信したコンテンツ配信要求から取得したコンテンツＩＤと許可ＩＤとを対応付けて登録情報に設定する（ステップＳ２３５）。配信判断部１３２は、取得したコンテンツＩＤと許可ＩＤをコンテンツ配信部１３３に出力し、コンテンツの配信を指示する。
【００６４】
コンテンツ配信部１３３は、配信判断部１３２からコンテンツＩＤ及び許可ＩＤを受信すると、コンテンツ管理情報から、そのコンテンツＩＤ及び許可ＩＤに対応した三次元画像コンテンツ（または三次元画像コンテンツの記憶場所）を読み出す。コンテンツ配信部１３３は、記憶場所を読み出した場合、その記憶場所から三次元画像コンテンツを読み出す。コンテンツ配信部１３３は、読み出した三次元画像コンテンツをユーザ端末装置３に配信する（ステップＳ２４０）。
【００６５】
なお、配信判断部１３２から受信したコンテンツＩＤ及び許可ＩＤにより複数の三次元画像コンテンツが特定される場合、コンテンツ配信部１３３は、それら複数の三次元画像コンテンツを所定の順序で配信してもよく、それら複数の三次元画像コンテンツのうちいずれを配信するかの配信問合せ画面データをユーザ端末装置３に送信し、表示部３５に表示させてもよい。後者の場合、コンテンツ配信部１３３は、送信した配信問合せ画面データに対応してユーザ端末装置３からユーザが入力部３２により選択した三次元画像コンテンツの情報を受信する。コンテンツ配信部１３３は、ユーザが選択した三次元画像コンテンツをユーザ端末装置３に配信する。
【００６６】
また、ステップＳ２１５において、配信判断部１３２は、登録情報に、取得したコンテンツＩＤと許可ＩＤとが対応付けて登録されていると判断した場合（ステップＳ２１５：ＹＥＳ）、要求された三次元画像コンテンツの配信可と判断し、ステップＳ２４０の処理を行う。すなわち、配信判断部１３２は、取得したコンテンツＩＤ及び許可ＩＤをコンテンツ配信部１３３に出力してコンテンツの配信を指示し、コンテンツ配信部１３３は、そのコンテンツＩＤ及び許可ＩＤにより特定される三次元画像コンテンツをユーザ端末装置３に配信する（ステップＳ２４０）。
【００６７】
なお、ステップＳ２２５において、登録情報に、コンテンツ配信要求から取得したコンテンツＩＤとコンテンツ配信要求から取得した許可ＩＤとは異なる許可ＩＤとが対応付けて登録されていると判断した場合(ステップＳ２２５：ＹＥＳ）、あるいは、ステップＳ２３０において、コンテンツ管理情報に、コンテンツ配信要求から取得したコンテンツＩＤと許可ＩＤとが対応付けて登録されていないと判断した場合（ステップＳ２３０：ＮＯ）、配信判断部１３２は、エラーをユーザ端末装置３に通知する（ステップＳ２４５）。例えば、配信判断部１３２は、配信不可である旨のメッセージを表示させるエラー画面データをユーザ端末装置３に送信する。
【００６８】
なお、ユーザ端末装置３の撮像部３３は、動画像データを継続して撮像し、許可情報取得部３４１は、ユーザが入力部３２により指示を入力しなくとも、撮像部３３が撮像した動画像データから許可情報を検出し、検出した許可情報から許可ＩＤを読み出すようにしてもよい。
さらに、配信コンテンツ情報取得部３４２は、ユーザが入力部３２により指示を入力しなくとも、撮像部３３が継続して撮像している動画像データから配信コンテンツ情報を検出し、検出した配信コンテンツ情報からコンテンツ配信要求先のＵＲＬと、コンテンツＩＤを取得してもよい。配信コンテンツ情報取得部３４２が配信コンテンツ情報からＵＲＬ及びコンテンツＩＤを取得した場合、コンテンツ要求部３４３は、ユーザが入力部３２により指示を入力しなくとも、コンテンツ配信要求をコンテンツ配信装置１に送信する。コンテンツ配信要求には、許可情報取得部３４１が取得した最も新しい許可ＩＤが設定される。配信コンテンツ情報取得部３４２は、撮像部３３が継続して撮像を行っている間は、ユーザが入力部３２により指示を入力しなくとも、配信コンテンツ情報の検出を継続し、コンテンツ要求部３４３は、検出された配信コンテンツ情報に基づいてコンテンツ配信要求を送信する処理を繰り返す。
これにより、ユーザは、都度操作を行わなくとも、ユーザ端末装置３の撮像部３３に商品５をかざしたり、撮像部３３を商品５に向けたりするだけで次々と三次元画像コンテンツを視聴することができる。
【００６９】
上記実施形態によれば、三次元画像コンテンツの視聴に必要な立体視用器具を保有するユーザのみに、商品に関連した三次元画像コンテンツを配信することができる。
また、商品に関連した三次元画像コンテンツをユーザに提供することにより、商品の付加価値が向上し、販売促進にもつながる。
【００７０】
また、図１１に示すように、同じ種類の商品５により同じ三次元画像コンテンツを提供する場合であっても、それらの商品５に異なるコンテンツＩＤを用い、また、ＨＭＤ７にも異なる許可ＩＤを割り当てることとで、一旦ユーザが、商品５を三次元画像コンテンツの視聴に用いた後は、その商品５を他人が入手しても、三次元画像コンテンツを視聴できないようにすることができる。
【００７１】
そこで、例えばユーザＡから商品５を譲り受けたユーザＢが、三次元画像コンテンツを視聴できるようにする場合、ユーザＡ（またはユーザＢ）のユーザ端末装置３の処理部３４は、商品５の配信コンテンツ情報から読み出したコンテンツＩＤと、登録変更前の許可ＩＤと、登録変更後の許可ＩＤとを設定した許可ＩＤ変更要求をコンテンツ配信装置１に送信する。登録変更前の許可ＩＤは、ユーザＡのＨＭＤ７の許可情報から取得した許可ＩＤであり、登録変更後の許可ＩＤは、ユーザＢのＨＭＤ７の許可情報から取得した許可ＩＤである。
【００７２】
コンテンツ配信装置１の処理部１３は、許可ＩＤ変更要求からコンテンツＩＤと、登録変更前の許可ＩＤと、登録変更後の許可ＩＤとを読み出す。処理部１３は、読み出したコンテンツＩＤに対応付けて登録情報に設定されている登録変更前の許可ＩＤを、登録変更後の許可ＩＤに書き換える。
これにより、商品５を譲り受けたユーザであっても、三次元画像コンテンツを視聴することが可能となる。
【００７３】
［第２の実施形態］
第１の実施形態では、ＨＭＤ７に許可ＩＤを付与した後に配布していた。本実施形態では、ＨＭＤ７の配布後に許可ＩＤを付与する。以下では、第１の実施形態との差分を中心に説明する。
【００７４】
本実施形態のコンテンツ配信システムは、図１に示すコンテンツ配信装置１に代えて、図１５に示すコンテンツ配信装置１ａを備えた構成である。また、本実施形態のＨＭＤ７に印刷または貼付される許可情報は、許可ＩＤ割当用ＵＲＬを示す。許可ＩＤ割当用ＵＲＬは、許可ＩＤの割当てを行うウェブサイトのＵＲＬである。
【００７５】
図１５は、コンテンツ配信装置１ａの構成を示す機能ブロック図であり、本実施形態と関係する機能ブロックのみを抽出して示してある。同図において、図２に示す第１の実施形態によるコンテンツ配信装置１と同一の部分には同一の符号を付し、その説明を省略する。コンテンツ配信装置１ａは、１台または複数台のコンピュータサーバにより実現される。コンテンツ配信装置１ａと第１の実施形態のコンテンツ配信装置１が異なる点は、記憶部１２及び処理部１３に代えて記憶部１２ａ及び処理部１３ａを備える点である。
記憶部１２ａが、図２に示す第１の実施形態の記憶部１２と異なる点は、コンテンツ管理情報記憶部１２１に代えて、コンテンツ管理情報記憶部１２１ａを備える点である。コンテンツ管理情報記憶部１２１ａが記憶するコンテンツ管理情報は、第１の実施形態のコンテンツ管理情報に、許可ＩＤ割当用ＵＲＬの情報を追加したデータ構成である。許可ＩＤ割当用ＵＲＬは、コンテンツＩＤ及び三次元画像コンテンツと対応付けられており、視聴可能な三次元画像コンテンツを表す情報として用いられる。
処理部１３ａが第１の実施形態の処理部１３と異なる点は、割当部１４１をさらに備える点である。割当部１４１は、ＨＭＤ７から取得した許可情報を用いて許可ＩＤの割り当てを要求してきたユーザに許可ＩＤを割り当てる。
【００７６】
図１６は、ユーザ端末装置３ａの構成を示す機能ブロック図であり、本実施形態と関係する機能ブロックのみを抽出して示してある。ユーザ端末装置３ａと図３に示す第１の実施形態のユーザ端末装置３が異なる点は、処理部３４に代えて処理部３４ａを備える点である。処理部３４ａが第１の実施形態の処理部３４と異なる点は、許可情報取得部３４１に代えて許可情報取得部３４１ａを備える点である。許可情報取得部３４１ａは、許可情報から取得したＵＲＬを宛先として許可ＩＤ割当要求（許可識別情報割当要求）を送信する。
【００７７】
図１７は、本実施形態のコンテンツ管理情報のデータ構成例を示す図である。同図に示すように、コンテンツ管理情報は、コンテンツＩＤと、三次元画像コンテンツ（または三次元画像コンテンツの記憶場所）と、三次元画像コンテンツの視聴を許可する許可ＩＤと、許可ＩＤ割当用ＵＲＬを対応付けた情報である。
【００７８】
続いて、コンテンツ配信システムの処理を説明する。
コンテンツ配信業者は、コンテンツＩＤと、三次元画像コンテンツ（または三次元画像コンテンツの記憶場所）と、その三次元画像コンテンツの配信（視聴）を許可する許可ＩＤと、許可ＩＤ割当用ＵＲＬとを対応付けたコンテンツ管理情報をコンテンツ配信装置１ａのコンテンツ管理情報記憶部１２１ａに登録しておく。コンテンツ管理情報の登録後、商品５とＨＭＤ７がユーザに配布される。
【００７９】
図１８は、ユーザ端末装置３ａにおけるコンテンツ配信要求処理のフロー図である。同図において、図１３に示すコンテンツ配信要求処理と同一の処理には、同一のステップ番号を付与し、詳細な説明を省略する。
まず、ユーザ端末装置３ａは、入力部３２によりユーザが入力した指示に従って、撮像部３３により、ＨＭＤ７の許可情報を撮像する（ステップＳ３０５）。許可情報取得部３４１ａは、撮像部３３が撮像した許可情報が示す許可ＩＤ割当用ＵＲＬを宛先に用いてコンテンツ配信装置１ａにアクセスし、許可ＩＤ割当要求を送信する（ステップＳ３１０）。許可情報取得部３４１ａは、許可ＩＤ割当要求に対応して、コンテンツ配信装置１ａから許可ＩＤを受信する（ステップＳ３１５）。ステップＳ３１５の処理の後、ユーザ端末装置３ａは、図１３のステップＳ１１０以降の処理を実行する。ただし、ステップＳ１１５において送信されるコンテンツ配信要求には、ステップＳ３１５において受信した許可ＩＤと、ステップＳ１１０において取得したコンテンツＩＤとが設定される。
【００８０】
なお、許可情報取得部３４１ａは、コンテンツ配信装置１ａから受信した許可ＩＤを記憶しておき、その許可ＩＤを読み出してコンテンツ配信要求に設定してもよい。その場合、ステップＳ３０５〜ステップＳ３１５の処理を省略することができる。
また、ステップＳ３０５〜ステップＳ３１５と、ステップＳ１１０の処理順は逆でもよい。
【００８１】
図１９は、コンテンツ配信装置１ａにおけるコンテンツ配信処理のフロー図である。同図において、図１４に示すコンテンツ配信処理と同一の処理には、同一のステップ番号を付与し、説明を省略する。
コンテンツ配信装置１ａの割当部１４１は、ユーザ端末装置３ａから許可ＩＤ割当要求を受信する（ステップＳ４０５）。割当部１４１は、まだ未使用の許可ＩＤをランダムに決定し、ユーザに割り当てる（ステップＳ４１０）。許可ＩＤの一部がグループを表す場合、割当部１４１は、ユーザ端末装置３ａがアクセスに用いたＵＲＬによりグループＩＤを決定し、許可ＩＤのグループＩＤ以外の部分をランダムに決定してもよい。割当部１４１は、コンテンツ管理情報に、ユーザ端末装置３ａがアクセスに用いたＵＲＬに対応付けて、割り当てた許可ＩＤを設定する。割当部１４１は、割り当てた許可ＩＤを、ユーザ端末装置３ａに通知する（ステップＳ４１５）。
ステップＳ４１５の処理の後、コンテンツ配信装置１ａは、第１の実施形態のコンテンツ配信装置１のステップＳ２０５以降の処理と同様の処理を行う。
【００８２】
なお、コンテンツ配信業者は、予め、コンテンツＩＤと、三次元画像コンテンツ（または三次元画像コンテンツの記憶場所）と、その三次元画像コンテンツの配信（視聴）を許可する許可ＩＤと、許可ＩＤ割当用ＵＲＬとを対応付けたコンテンツ管理情報をコンテンツ管理情報記憶部１２１ａに登録してもよい。この場合、割当部１４１は、ユーザ端末装置３ａがアクセスに用いたＵＲＬに対応してコンテンツ管理情報に設定されている許可ＩＤの中から、未使用の（まだいずれのユーザにも割り当てていない）許可ＩＤを選択して、許可ＩＤ割当要求の送信元のユーザ端末装置３ａに割り当てる。
【００８３】
また、割当部１４１は、許可ＩＤ割当要求から送信元のユーザ端末装置３ａの端末識別情報と許可ＩＤ割当用ＵＲＬとの組を取得して記憶しておき、受信した許可ＩＤ割当要求から読み出した端末識別情報と許可ＩＤ割当用ＵＲＬの組が過去に所定回数以上使用されている場合には、許可ＩＤの割当てを行わずにエラー画面をユーザ端末装置３ａに送信してもよい。
また、ＨＭＤ７毎に異なる許可ＩＤ割当用ＵＲＬを割当ておき、割当部１４１は、許可ＩＤ割当要求のアクセス先として用いられた許可ＩＤ割当用ＵＲＬが過去に所定回数以上使用されている場合には、許可ＩＤの割当てを行わずにエラー画面をユーザ端末装置３ａに送信してもよい。
【００８４】
上記実施形態によれば、第１の実施形態と同様の効果が得られる。また、予めＨＭＤ７の数を予測して割り当て可能な許可ＩＤを決めておかなくてもよいため、ＨＭＤ７の数が増加した場合でも、ユーザに三次元画像コンテンツを提供することができる。
【００８５】
［第３の実施形態］
本実施形態では、時間や場所に応じた三次元画像コンテンツを配信する。以下では、第１の実施形態との差分を中心に説明するが、第２の実施形態にこの差分を適用することもできる。
【００８６】
本実施形態のコンテンツ配信システムは、図１に示すコンテンツ配信装置１及びユーザ端末装置３に代えて、図２０に示すコンテンツ配信装置１ｂ及び図２１に示すユーザ端末装置３ｂを備えた構成である。
【００８７】
図２０は、コンテンツ配信装置１ｂの構成を示す機能ブロック図であり、本実施形態と関係する機能ブロックのみを抽出して示してある。コンテンツ配信装置１ｂと図２に示す第１の実施形態のコンテンツ配信装置１が異なる点は、記憶部１２及び処理部１３に代えて記憶部１２ｂ及び処理部１３ｂを備える点である。
記憶部１２ｂが、図２に示す第１の実施形態の記憶部１２と異なる点は、コンテンツ管理情報記憶部１２１に代えて、コンテンツ管理情報記憶部１２１ｂを備える点である。コンテンツ管理情報記憶部１２１ｂが記憶するコンテンツ管理情報は、第１の実施形態のコンテンツ管理情報に、配信期間と配信エリアの一方または両方を追加したデータ構成である。
処理部１３ｂが第１の実施形態の処理部１３と異なる点は、コンテンツ配信部１３３に代えて、コンテンツ配信部１３３ｂを備える点である。コンテンツ配信部１３３ｂは、コンテンツ管理情報に設定されているコンテンツＩＤ及び許可ＩＤに加えて、配信期間と配信エリアに基づいて、配信する三次元画像コンテンツを選択する。
【００８８】
図２１は、ユーザ端末装置３ｂの構成を示す機能ブロック図であり、本実施形態と関係する機能ブロックのみを抽出して示してある。ユーザ端末装置３ｂと図３に示す第１の実施形態のユーザ端末装置３が異なる点は、時刻情報取得部４１及び位置情報取得部４２をさらに備える点、及び、処理部３４に代えて処理部３４ｂを備える点である。時刻情報取得部４１は、現在時刻の情報を取得する。位置情報取得部４２は、現在位置の情報を取得する。処理部３４ｂが処理部３４と異なる点は、コンテンツ要求部３４３に代えてコンテンツ要求部３４３ｂを備える点である。コンテンツ要求部３４３ｂは、現在位置の情報と、現在時刻の情報をさらに設定したコンテンツ配信要求をコンテンツ配信装置１ｂに送信する。
【００８９】
図２２は、コンテンツ管理情報のデータ構成例を示す図である。同図に示すように、コンテンツ管理情報は、三次元画像コンテンツのコンテンツＩＤと、配信期間と、配信エリアと、三次元画像コンテンツ（または三次元画像コンテンツの記憶場所）と、三次元画像コンテンツの視聴を許可する許可ＩＤとを対応付けた情報である。配信期間と配信エリアの何れかまたは両方がＮＵＬＬ（設定なし）であってもよい。配信エリアは、例えば、中心の緯度・経度及び半径で表してもよく、多角形のエリアの各頂点を緯度・経度で表してもよく、郵便番号、市区町村名、住所などで表してもよい。
【００９０】
続いて、コンテンツ配信システムの処理を説明する。
図２３は、ユーザ端末装置３ｂにおけるコンテンツ配信要求処理のフロー図である。同図において、図１３に示すコンテンツ配信要求処理と同一の処理には、同一のステップ番号を付与し、詳細な説明を省略する。
まず、ユーザ端末装置３ｂの許可情報取得部３４１は、撮像部３３が撮像した許可情報に基づいて許可ＩＤを取得する（ステップＳ１０５）。さらに、配信コンテンツ情報取得部３４２は、撮像部３３が撮像した配信コンテンツ情報の画像データから、コンテンツ配信要求先のＵＲＬと、コンテンツＩＤとを取得する（ステップＳ１１０）。
【００９１】
ユーザ端末装置３ｂの時刻情報取得部４１は、現在の時刻の情報を取得する(ステップＳ５０５）。例えば、時刻情報取得部４１は、現在の時刻の情報を、ユーザ端末装置３ｂが備える図示しない時計から取得してもよく、時刻を表す電波を受信して時刻の情報を取得してもよい。
【００９２】
続いて、位置情報取得部４２は、位置の情報を取得する(ステップＳ５１０）。例えば、位置情報取得部４２を、ＧＰＳ（Global Positioning System）により実現し、現在の位置の情報を取得する。あるいは、位置情報取得部４２は、ビルなどの建造物、屋内や屋外に設置されたポール、看板、像などに備えられた通信装置から近距離通信により位置の情報を受信してもよく、それらに貼られたポスターなどに描かれた位置の情報を示す文字や画像（二次元バーコードなど）を撮像部３３により撮像することにより取得してもよい。近距離通信には、ＷｉＦｉ（登録商標）、bluetooth（登録商標）、可視光通信、赤外線通信、ＮＦＣ（Near field communication）などを用いることができる。
【００９３】
入力部３２によりユーザがコンテンツ配信要求の送信指示を入力すると、コンテンツ要求部３４３ｂは、ステップＳ１１０において取得したＵＲＬを宛先としてコンテンツ配信要求を送信する（ステップＳ５１５）。コンテンツ配信要求には、ステップＳ１０５において取得した許可ＩＤと、ステップＳ１１０において取得したコンテンツＩＤと、ステップＳ５１０において取得した現在時刻の情報と、ステップＳ５１５において取得した現在位置の情報とが設定される。ステップＳ５１５の処理の後、ユーザ端末装置３ｂは、図１３のステップＳ１２０以降の処理と同様の処理を実行する。つまり、表示制御部３４５は、受信部３４４がコンテンツ配信装置１ｂから受信した三次元画像コンテンツ又はエラー画面データを表示部３５に表示させる（ステップＳ１２０〜ステップＳ１３５）。
なお、ステップＳ１０５、ステップＳ１１０、ステップＳ５０５、ステップＳ５１０の処理順は任意でもよい。
【００９４】
図２４は、コンテンツ配信装置１ｂにおけるコンテンツ配信処理のフロー図である。同図において、図１４に示すコンテンツ配信処理と同一の処理には、同一のステップ番号を付与し、説明を省略する。
コンテンツ配信装置１ｂのステップＳ２０５〜ステップＳ２３５までの処理、及び、ステップＳ２４５の処理は、第１の実施形態と同様である。ステップＳ２３５の処理の後、あるいは、ステップＳ２１５においてＹＥＳと判断した後、コンテンツ配信装置１ｂのコンテンツ配信部１３３ｂは、コンテンツ配信要求から現在時刻の情報及び現在位置の情報を取得する（ステップＳ６０５）。なお、現在時刻の情報をコンテンツ配信要求に設定せず、コンテンツ配信部１３３ｂが、コンテンツ配信装置１ｂが備える図示しない時計や、外部から受信した電波により現在時刻の情報を受信してもよい。
【００９５】
コンテンツ配信部１３３ｂは、コンテンツ管理情報に、コンテンツ配信要求から取得したコンテンツＩＤ及び許可ＩＤと、現在時刻が含まれる配信期間と、現在位置が含まれる配信エリアとに対応付けて、三次元画像コンテンツ（または三次元画像コンテンツの記憶場所）が登録されているか否かを判断する（ステップＳ６１０）。なお、コンテンツ配信部１３３ｂは、コンテンツ管理情報に、コンテンツＩＤ及び許可ＩＤと対応付けて配信期間が設定されていない場合は現在時刻が配信期間に含まれると判断し、コンテンツＩＤ及び許可ＩＤと対応付けて配信エリアが設定されていない場合は、現在位置が配信エリアに含まれると判断する。コンテンツ配信部１３３ｂは、コンテンツ管理情報に、コンテンツ配信要求から取得したコンテンツＩＤ及び許可ＩＤと、現在時刻が含まれる配信期間と、現在位置が含まれる場所とに対応付けて三次元画像コンテンツ（または三次元画像コンテンツの記憶場所）が登録されていると判断した場合（ステップＳ６１０：ＹＥＳ）、その三次元画像コンテンツ（または三次元画像コンテンツの記憶場所）を読み出す。コンテンツ配信部１３３ｂは、記憶場所を読み出した場合、その記憶場所から三次元画像コンテンツを読み出す。コンテンツ配信部１３３ｂは、読み出した三次元画像コンテンツをユーザ端末装置３ｂに配信する（ステップＳ６１５）。
【００９６】
一方、コンテンツ配信部１３３ｂは、登録情報に、コンテンツ配信要求から取得したコンテンツＩＤ及び許可ＩＤと、現在時刻が含まれる配信期間と、現在位置が含まれる配信エリアとに対応付けて、三次元画像コンテンツ（または三次元画像コンテンツの記憶場所）が登録されていないと判断した場合（ステップＳ６１０：ＮＯ）、エラーをユーザ端末装置３ｂに通知する（ステップＳ２４５）。すなわち、コンテンツ配信部１３３ｂは、配信不可である旨のメッセージを表示させるエラー画面データをユーザ端末装置３ｂに送信する。（ステップＳ２４５）。
【００９７】
上記実施形態によれば、同じ商品５とＨＭＤ７を用いた場合でも、季節ごとに異なる三次元画像コンテンツをユーザに提供したり、ある一定期間だけユーザに三次元画像コンテンツを提供したりすることができる。また、同じ商品５とＨＭＤ７を用いた場合でも、ユーザの現在位置によって、異なる三次元画像コンテンツを提供することができる。
【００９８】
例えば、あるイベントにおいて商品５とＨＭＤ７を販売し、そのイベント会場においてイベント開始前、イベント開催中、イベント終了後に異なる三次元画像コンテンツを提供することができる。また、ユーザがイベントから帰宅した後は、自宅の場所によって異なる三次元画像コンテンツを提供することができる。
【００９９】
また、例えば、テーマパークなどで商品５及びＨＭＤ７を販売し、アトラクションへ入場するための行列の誘導に用いられるロープや鎖をつなぐポールなどに、近距離通信により位置情報を送信する通信装置を設置する。あるいは、行列付近に位置情報が印刷された看板などを設置する。これによりユーザは、行列待ちをしている間も、テーマパークやアトラクションに関係した三次元画像コンテンツを視聴し、楽しむことができる。
【０１００】
また、例えば、オリエンテーションやスタンプラリーなどのポイントに、位置情報を送信する通信装置や位置情報が描かれた看板などを設置しておく。これによりユーザは、ポイントを訪れるたびに、そのポイントで提供される三次元画像コンテンツを視聴して楽しむことができる。あるいは、そのポイントの三次元画像コンテンツにより、ポイント毎に提供されるキーワードや、次に訪れるポイントの情報など提供することができる。
【０１０１】
なお、ユーザ端末装置３ｂに、さらに、ユーザ端末装置３ｂが向いている方向を検出するセンサを備え、センサが検出した方向の情報を現在位置の情報に付加してもよい。コンテンツ配信部１３３ｂは、ステップＳ６１５において現在位置の情報に付加された方向の情報を取得し、読み出した三次元画像コンテンツからユーザ端末装置３ｂが向いている方向に合った映像を切り出してユーザ端末装置３ｂに配信する。
これにより、例えば、観光地や遺跡などにおいて、ユーザが向いている方向の昔の様子の映像を三次元画像コンテンツにより提供することもできる。ユーザは、その土地に昔建っていた城などの建造物や、昔その土地であった歴史的な出来事の様子などを三次元画像コンテンツで視聴し、現在の風景と見比べて楽しむことができる。また、夏であれば冬の風景の映像を、冬であれば夏の風景の映像を提供することもできる。また、観光からの帰宅後には、観光地で提供した三次元画像コンテンツとは異なる三次元画像コンテンツをユーザに提供することができる。
【０１０２】
［第４の実施形態］
本実施形態では、ユーザ端末装置に配信するコンテンツを三次元画像コンテンツとするか、二次元画像コンテンツとするかの選択を可能とする。二次元画像コンテンツは、二次元の動画や静止画などの画像のコンテンツデータである。以下では、第２の実施形態との差分を中心に説明するが、第１の実施形態や第３の実施形態にこの差分を適用することもできる。
【０１０３】
本実施形態のコンテンツ配信システムは、図１に示すコンテンツ配信装置１及びユーザ端末装置３に代えて、図２５に示すコンテンツ配信装置１ｃ及び図２６に示すユーザ端末装置３ｃを備えた構成である。
【０１０４】
図２５は、コンテンツ配信装置１ｃの構成を示す機能ブロック図であり、本実施形態と関係する機能ブロックのみを抽出して示してある。コンテンツ配信装置１ｃと図１５に示す第２の実施形態のコンテンツ配信装置１ａが異なる点は、記憶部１２ａ及び処理部１３ａに代えて記憶部１２ｃ及び処理部１３ｃを備える点である。
【０１０５】
記憶部１２ｃが、図１５に示す第２の実施形態の記憶部１２ａと異なる点は、コンテンツ管理情報記憶部１２１ａに代えて、コンテンツ管理情報記憶部１２１ｃを備える点である。コンテンツ管理情報記憶部１２１ｃが記憶するコンテンツ管理情報は、第１の実施形態のコンテンツ管理情報に、三次元画像コンテンツに対応した二次元画像コンテンツまたは二次元画像コンテンツの記憶場所を追加したデータ構成である。
【０１０６】
処理部１３ｃが第２の実施形態の処理部１３ａと異なる点は、問合送信部１５１をさらに備える点、及び、コンテンツ配信部１３３に代えてコンテンツ配信部１３３ｃを備える点である。問合送信部１５１は、ユーザ端末装置３ｃに三次元画像コンテンツと二次元画像コンテンツのいずれを配信するかの問合画面データを送信する。コンテンツ配信部１３３ｃは、第１の実施形態のコンテンツ配信部１３３と同様に、コンテンツ配信要求元のユーザ端末装置３ｃに配信する三次元画像コンテンツを特定する。コンテンツ配信部１３３ｃは、ユーザ端末装置３ｃから受信したユーザの選択、あるいは、ユーザの年齢に基づいて、特定した三次元画像コンテンツと、特定した三次元画像コンテンツに対応した二次元画像コンテンツのいずれかを配信する。
【０１０７】
図２６は、ユーザ端末装置３ｃの構成を示す機能ブロック図であり、本実施形態と関係する機能ブロックのみを抽出して示してある。ユーザ端末装置３ｃと図１６に示す第２の実施形態のユーザ端末装置３ａが異なる点は、処理部３４ａに代えて処理部３４ｃを備える点である。
処理部３４ｃが、図１６に示す第２の実施形態の処理部３４ａと異なる点は、問合部３５１をさらに備える点である。問合部３５１は、三次元画像コンテンツと二次元画像コンテンツのいずれを配信するかの問合画面データを表示部３５に表示させる。
【０１０８】
図２７は、本実施形態のコンテンツ管理情報のデータ構成例を示す図である。同図に示すように、コンテンツ管理情報は、コンテンツＩＤと、三次元画像コンテンツ（または三次元画像コンテンツの記憶場所）と、二次元画像コンテンツ（または二次元画像コンテンツの記憶場所）と、三次元画像コンテンツの視聴を許可する許可ＩＤとを対応付けた情報である。
【０１０９】
上記構成により、ユーザ端末装置３ｃは、三次元画像コンテンツと二次元画像コンテンツのいずれの配信を要求するかの問合画面データを任意のタイミングで、あるいは、コンテンツ配信装置１ｃからの問合画面データの受信時に表示部３５に表示させる。
【０１１０】
例えば、ユーザ端末装置３ｃの問合部３５１は、ビューワのプログラムをコンテンツ配信装置１ｃからダウンロードして実装するとき、許可ＩＤ割当要求の送信前、割り当てられた許可ＩＤをコンテンツ配信装置１ｃから受信したとき、商品５から配信コンテンツ情報を読取ったとき、コンテンツ配信要求の送信前などにおいて問合画面データを表示部３５に表示させる。ビューワのプログラムとは、ユーザ端末装置３ｃを、許可情報取得部３４１ａ、配信コンテンツ情報取得部３４２、コンテンツ要求部３４３、受信部３４４、及び、表示制御部３４５として機能させるためのプログラムである。
あるいは、コンテンツ配信装置１ｃの問合送信部１５１は、ビューワのプログラムをユーザ端末装置３ｃにダウンロードする前、ユーザ端末装置３ｃに割り当てた許可ＩＤを送信する前または後、ユーザ端末装置３ｃからコンテンツ配信要求を受信した時に、問合画面データをユーザ端末装置３ｃに送信する。ユーザ端末装置３ｃの問合部３５１は、コンテンツ配信装置１ｃから受信した問合画面データを表示部３５に表示させる。
【０１１１】
ユーザは、入力部３２により三次元画像コンテンツと二次元画像コンテンツのいずれを選択するかを入力する。ユーザ端末装置３ｃの問合部３５１は、三次元画像コンテンツと二次元画像コンテンツのいずれが選択されたかをコンテンツ配信装置１ｃに送信する。コンテンツ配信装置１ｃのコンテンツ配信部１３３ｃは、三次元画像コンテンツが選択された旨を受信した場合、ステップＳ２４０において、上述した実施形態と同様に三次元画像コンテンツを配信する。一方、コンテンツ配信装置１ｃのコンテンツ配信部１３３ｃは、二次元画像コンテンツが選択された旨を受信した場合、ステップＳ２４０において特定した三次元画像コンテンツに対応した二次元画像コンテンツを配信する。すなわち、コンテンツ配信部１３３ｃは、配信判断部１３２から受信したコンテンツＩＤ及び許可ＩＤに対応した二次元画像コンテンツ（または二次元画像コンテンツの記憶場所）を、コンテンツ管理情報から読み出す。コンテンツ配信部１３３ｃは、記憶場所を読み出した場合、その記憶場所から二次元画像コンテンツを読み出す。コンテンツ配信部１３３ｃは、読み出した二次元画像コンテンツをユーザ端末装置３ｃに配信する。
【０１１２】
また、子供が三次元画像コンテンツを視聴することにより視覚障害が発生する危険性があるとの指摘もある。そこで、三次元画像コンテンツと二次元画像コンテンツのいずれの配信を要求するかの問合画面データの代わりに、年齢入力画面データを用いてもよい。ユーザ端末装置３ｃの問合部３５１は、入力部３２によりユーザが入力した年齢の情報をコンテンツ配信装置１ｃに送信する。コンテンツ配信装置１ｃのコンテンツ配信部１３３ｃは、受信した年齢の情報が閾値以上の年齢を示す場合、ステップＳ２４０において、上記と同様に三次元画像コンテンツを配信する。一方、コンテンツ配信装置１ｃのコンテンツ配信部１３３ｃは、受信した年齢の情報が閾値未満の年齢を示す場合、ステップＳ２４０において、上記と同様に三次元画像コンテンツに対応した二次元画像コンテンツを配信する。
【０１１３】
本実施形態によれば、コンテンツ配信装置１ｃは、ユーザによって、三次元画像コンテンツを配信するか、二次元画像コンテンツを配信するかを選択して配信することができる。
【０１１４】
［第５の実施形態］
本実施形態では、配信が許可された複数の三次元画像コンテンツを重畳して配信する。以下では、第１の実施形態との差分を中心に説明するが、第２〜第４の実施形態にこの差分を適用することもできる。
【０１１５】
本実施形態のコンテンツ配信システムは、図１に示すコンテンツ配信装置１及びユーザ端末装置３に代えて、図２８に示すコンテンツ配信装置１ｄ及び図２９に示すユーザ端末装置３ｄを備えた構成である。
【０１１６】
図２８は、コンテンツ配信装置１ｄの構成を示す機能ブロック図であり、本実施形態と関係する機能ブロックのみを抽出して示してある。コンテンツ配信装置１ｄと図２に示す第１の実施形態のコンテンツ配信装置１とが異なる点は、記憶部１２及び処理部１３に代えて記憶部１２ｄ及び処理部１３ｄを備える点である。
【０１１７】
記憶部１２ｄが、図２に示す第１の実施形態の記憶部１２と異なる点は、コンテンツ管理情報記憶部１２１に代えてコンテンツ管理情報記憶部１２１ｄを備える点である。コンテンツ管理情報記憶部１２１ｄは、三次元画像コンテンツの属性情報がさらに設定されたコンテンツ管理情報を記憶する。属性情報は、配置位置に関する属性や、画像の表示に関する属性にどのような影響を与える（加工を行う）かの属性を示す。また、コンテンツ管理情報記憶部１２１ｄは、背景コンテンツを記憶する。背景コンテンツは、背景となる動画または静画の三次元画像コンテンツである。
【０１１８】
処理部１３ｄが第１の実施形態の処理部１３と異なる点は、配信要求受信部１３１及びコンテンツ配信部１３３に代えて配信要求受信部１３１ｄ及びコンテンツ配信部１３３ｄを備える点、ならびに、合成部１６１、視聴方向情報受信部１６２、補正指示受信部１６３、及び、削除指示受信部１６４をさらに備える点である。
【０１１９】
配信要求受信部１３１ｄは、コンテンツＩＤ及び許可ＩＤに加え、視聴方向情報及び配置位置情報が設定されたコンテンツ配信要求を受信する。配置位置情報は、三次元画像コンテンツを配置する三次元上の位置を取得可能な情報を示す。視聴方向情報は、ユーザの視聴方向、すなわち、ユーザが向いている方向を示す。視聴方向情報は、ユーザの現在位置の情報を含み得る。現在位置は、地理的な絶対位置でもよく、背景コンテンツの画像における所定位置を基準とした相対位置でもよい。配置位置情報には、地理的な絶対位置が設定されてもよく、背景コンテンツの画像における所定位置を基準とした相対位置や方向が設定されてもよい。
【０１２０】
合成部１６１は、背景コンテンツに、コンテンツ配信要求により要求された三次元画像コンテンツを合成し、配信用の三次元画像コンテンツである配信用三次元画像コンテンツを生成する。このとき、合成部１６１は、背景コンテンツに、コンテンツ配信要求に設定されている配置位置情報から取得した三次元上の位置に三次元画像コンテンツを配置するように合成する。なお、合成部１６１は、配置位置情報が地理的な絶対位置を示す場合、その絶対位置を、背景コンテンツの画像における位置に変換する。
【０１２１】
視聴方向情報受信部１６２は、視聴方向情報をユーザ端末装置３ｄから受信する。
コンテンツ配信部１３３ｄは、合成部１６１により生成された配信用三次元画像コンテンツから、視聴方向情報に基づいて抽出した三次元画像コンテンツをユーザ端末装置３ｄに送信する。
【０１２２】
補正指示受信部１６３は、配信用三次元画像コンテンツに重畳されている三次元画像コンテンツの配置位置または向きの補正を指示する補正指示を受信する。合成部１６１は、配信用三次元画像コンテンツにおいて三次元画像コンテンツが配置された位置または向きを、位置情報補正指示に従って補正する。
【０１２３】
削除指示受信部１６４は、配信用三次元画像コンテンツに重畳されている三次元画像コンテンツの削除を指示する削除指示を受信する。合成部１６１は、削除指示により削除が指示された三次元画像コンテンツを、配信用三次元画像コンテンツから削除する。
【０１２４】
図２９は、ユーザ端末装置３ｄの構成を示す機能ブロック図であり、本実施形態と関係する機能ブロックのみを抽出して示してある。ユーザ端末装置３ｄと図３に示す第１の実施形態のユーザ端末装置３が異なる点は、検出部４３をさらに備える点、及び、処理部３４に代えて処理部３４ｄを備える点である。
【０１２５】
検出部４３は、向きを検出するセンサである。また、検出部４３は、現在位置の情報を得るＧＰＳを含んで構成されてもよい。
処理部３４ｄが第１の実施形態の処理部３４と異なる点は、コンテンツ要求部３４３に代えて送信部３６３を備える点、配置位置情報取得部３６１及び視聴方向情報取得部３６２とをさらに備える点である。
配置位置情報取得部３６１は、配置位置情報を取得する。
視聴方向情報取得部３６２は、視聴方向情報を取得する。
送信部３６３は、コンテンツ配信要求や、視聴方向情報などの各種情報をコンテンツ配信装置１ｄに送信する。また、送信部３６３は、入力部３２により入力されたユーザ操作に基づいて、補正指示や削除指示をコンテンツ配信装置１ｄに送信する。
【０１２６】
図３０は、本実施形態のコンテンツ管理情報のデータ構成例を示す図である。同図に示すコンテンツ管理情報は、コンテンツＩＤと、コンテンツ名と、三次元画像コンテンツ（または三次元画像コンテンツの記憶場所）と、三次元画像コンテンツの視聴を許可する許可ＩＤと、属性情報とを対応付けた情報である。属性情報は、配置位置属性と画像加工属性の情報を含む。配置位置属性は、三次元画像コンテンツを配置する位置に関する属性を示す。画像加工属性は、画像の表示に関する属性にどのような影響を与える（加工を行う）かの属性を示す。属性情報に、配置位置属性と画像加工属性の一方のみが設定されてもよい。
なお、コンテンツ管理情報にＮＵＬＬ又はダミー（実態のない）の三次元画像コンテンツを登録してもよい。この場合、配信用三次元画像コンテンツに三次元画像コンテンツは重畳されないが、属性情報に設定されている画像加工属性により配信用三次元画像コンテンツを加工することができる。
【０１２７】
続いて、コンテンツ配信システムの動作について説明する。
本実施形態では、コンテンツ管理情報により管理される三次元画像コンテンツが、オブジェクトの動画または静画の三次元画像コンテンツであるオブジェクトコンテンツである場合を例に説明する。例えば、背景コンテンツを絵本の物語が設定されている場所の三次元画像コンテンツとし、オブジェクトコンテンツを絵本に登場するキャラクターやキャラクターの持ち物などのオブジェクトの三次元画像コンテンツとすることができる。また、背景コンテンツをモデルの三次元画像コンテンツとし、オブジェクトコンテンツを雑誌に掲載されている服やアクセサリーなどのオブジェクトの三次元画像コンテンツとすることができる。また、背景コンテンツをカードゲームのストーリーが展開する場所の三次元画像コンテンツとし、オブジェクトコンテンツをカードゲームに登場するキャラクターやアイテムなどのオブジェクトの三次元画像コンテンツとすることができる。また、背景コンテンツを観光地の風景の三次元画像コンテンツとし、オブジェクトコンテンツをその土地に関係する人物、キャラクター、建物などの三次元画像コンテンツとすることができる。
【０１２８】
なお、重畳が可能なオブジェクトコンテンツの配信コンテンツ情報には、同一のコンテンツ配信先のＵＲＬが設定されているとする。あるいは、重畳が可能なオブジェクトコンテンツのコンテンツＩＤを関連付けた情報をコンテンツ管理情報記憶部１２１ｄに予め登録していてもよい。合成部１６１は、この情報に基づいて重畳が可能であると判断したオブジェクトコンテンツを配信用三次元画像コンテンツに重畳する。
【０１２９】
図３１は、ユーザ端末装置３ｄにおけるコンテンツ配信要求処理のフロー図である。同図において、図１３に示す第１の実施形態のコンテンツ配信要求処理と同一の処理には同一の符号を付し、その詳細な説明を省略する。
まず、ユーザ端末装置３の許可情報取得部３４１は、撮像部３３が撮像したＨＭＤ７の許可情報から許可ＩＤを取得する（ステップＳ１０５）。さらに、ユーザ端末装置３ｄの配信コンテンツ情報取得部３４２は、撮像部３３が撮像した配信コンテンツ情報の画像データから、コンテンツ配信要求先のＵＲＬと、コンテンツＩＤとを取得する（ステップＳ１１０）。
【０１３０】
続いて、配置位置情報取得部３６１は、配置位置情報を取得する（ステップＳ７０５）。例えば、配置位置情報取得部３６１は、検出部４３を構成するＧＰＳから現在位置の情報を取得し、配置位置情報とする。あるいは、配置位置情報取得部３６１は、検出部４３から取得したユーザの向きの情報を配置位置情報としてもよい。配置位置情報がユーザの向きを示す場合、背景コンテンツ（または配信用三次元画像コンテンツ）の画像における三次元上の所定位置からユーザの向きに所定距離だけ進んだ位置が配置位置となる。またあるいは、配置位置情報取得部３６１は、現在ユーザが居る建物の壁や床、ユーザが居る場所に設置してある看板や像などに備えられた通信装置から近距離通信により位置の情報を受信して配置位置情報としてもよい。あるいは、現在ユーザが居る建物の壁や床、ユーザが居る場所に設置してある看板や像などに貼られたポスターやマーカーに描かれた位置の情報を示す文字や画像を撮像部３３により撮像してもよい。配置位置情報取得部３６１は、撮像された画像のデータから位置の情報を取得して配置位置情報とする。
【０１３１】
さらに、視聴方向情報取得部３６２は、視聴方向情報を取得する（ステップＳ７１０）。例えば、視聴方向情報取得部３６２は、検出部４３から方向や現在位置の情報を取得し、視聴方向情報とする。なお、視聴方向情報取得部３６２は、検出部４３を構成するＧＰＳから現在位置の情報を取得する代わりに、現在ユーザが居る建物の壁や床、ユーザが居る場所に設置してある看板や像などに備えられた通信装置から近距離通信により位置の情報を受信して現在位置の情報としてもよい。あるいは、現在ユーザが居る建物の壁や床、ユーザが居る場所に設置してある看板や像などに貼られたポスターやマーカーに描かれた位置の情報を示す文字や画像（二次元バーコードなど）を撮像部３３により撮像してもよい。視聴方向情報取得部３６２は、撮像された画像のデータから位置の情報を取得し、現在位置の情報とする。
【０１３２】
入力部３２によりユーザがコンテンツ配信要求の送信指示を入力すると、送信部３６３は、ステップＳ１１０において取得したＵＲＬを宛先としてコンテンツ配信要求を送信する（ステップＳ７１５）。コンテンツ配信要求には、ステップＳ１０５において取得した許可ＩＤと、ステップＳ１１０において取得したコンテンツＩＤと、ステップＳ７０５において取得した配置位置情報と、ステップＳ７１０において取得した視聴方向情報とが設定される。
【０１３３】
受信部３４４が、コンテンツ配信要求に対応してコンテンツ配信装置１ｄからエラー画面データを受信した場合（ステップＳ１２０：ＮＯ、ステップＳ１３０：ＹＥＳ）、表示制御部３４５は、受信したエラー画面データを表示部３５に表示させる（ステップＳ１３５）。処理部３４ｄは、ステップＳ１３５の処理の後、あるいは、三次元画像コンテンツもエラー画面データも受信しなかった場合（ステップＳ１２０：ＮＯ、ステップＳ１３０：ＮＯ）、処理を終了する。
【０１３４】
一方、受信部３４４が、コンテンツ配信要求に対応してコンテンツ配信装置１ｄから三次元画像コンテンツを受信した場合（ステップＳ１２０：ＹＥＳ）、表示制御部３４５は、受信した三次元画像コンテンツを表示部３５に表示させる（ステップＳ１２５）。ユーザ端末装置３は、図３２に示す処理を行う。
【０１３５】
図３２は、図３１の続きの処理を示す。
図３１のステップＳ１２５の処理の後、視聴方向情報取得部３６２は、視聴方向情報を取得する。視聴方向情報取得部３６２が、新たに取得した視聴方向情報と前回取得した視聴方向情報とが同じであると判断した場合（ステップＳ８０５：ＮＯ）、ユーザ端末装置３は、後述するステップＳ８２５の処理を行う。視聴方向情報取得部３６２は、新たに取得した視聴方向情報と前回取得した視聴方向情報とが異なると判断した場合（ステップＳ８０５：ＹＥＳ）、新たに取得した視聴方向情報をコンテンツ配信装置１ｄに送信する（ステップＳ８１０）。受信部３４４は、コンテンツ配信装置１ｄから三次元画像コンテンツを受信する（ステップＳ８１５）。表示制御部３４５は、受信した三次元画像コンテンツを表示部３５に表示させる（ステップＳ８２０）。
【０１３６】
ステップＳ８０５においてＮＯと判断された後、あるいは、ステップＳ８２０の処理の後、処理部３４ｄは、新たな配信コンテンツ情報の取得指示が入力されたか否かを判断する（ステップＳ８２５）。
ユーザ端末装置３ｄの処理部３４ｄは、新たな配信コンテンツ情報の取得指示が入力されないと判断した場合（ステップＳ８２５：ＮＯ）、後述するステップＳ８４５の処理を行う。
一方、処理部３４ｄは、入力部３２により新たな配信コンテンツ情報の取得指示が入力されたと判断した場合（ステップＳ８２５：ＹＥＳ）、撮像部３３に商品５の配信コンテンツ情報の撮像を指示する。配信コンテンツ情報取得部３４２は、撮像部３３が撮像した配信コンテンツ情報の画像データから、コンテンツ配信要求先のＵＲＬと、コンテンツＩＤとを取得する（ステップＳ８３０）。続いて、配置位置情報取得部３６１は、配置位置情報を取得する（ステップＳ８３５）。入力部３２によりユーザがコンテンツ配信要求の送信指示を入力すると、送信部３６３は、ステップＳ８３０において取得したＵＲＬを宛先としてコンテンツ配信要求を送信する（ステップＳ８４０）。コンテンツ配信要求には、ステップＳ８４０において取得したコンテンツＩＤと、ステップＳ１０５において取得した許可ＩＤと、ステップＳ８３５において取得した配置位置情報が設定される。ユーザ端末装置３ｄは、ステップＳ８１５からの処理を繰り返す。
【０１３７】
ステップＳ８２５においてＮＯと判断された後、送信部３６３は、オブジェクトの位置または向きの補正指示が入力されたか否かを判断する（ステップＳ８４５）。送信部３６３は、オブジェクトの補正指示が入力されていないと判断した場合（ステップＳ８４５：ＮＯ）、後述するステップＳ８５５の処理を行う。
【０１３８】
一方、送信部３６３は、補正指示が入力されたと判断した場合（ステップＳ８４５：ＹＥＳ）、入力された補正指示をコンテンツ配信装置１ｄに送信する（ステップＳ８５０）。
例えば、オブジェクトの画像の位置を移動させたい場合、ユーザは、タッチパネルに表示されているオブジェクトの画像に指でタッチし、移動させたい方向に動かす（ドラッグ操作）。送信部３６３は、タッチされた画面上の位置に画像が表示されていたオブジェクトのコンテンツＩＤと、移動方向と移動量を設定した補正指示をコンテンツ配信装置１ｄに送信する。移動量は、指をタッチパネルにタッチしたまま動かした距離に応じた情報である。あるいは、ユーザは、ＨＭＤ７を持ったまま、頭を移動させたい方向に振る。検出部４３が備えるセンサは、頭が振られた方向を検出し、送信部３６３は、その検出された方向を移動方向として設定した補正指示をコンテンツ配信装置１ｄに送信する。このとき、送信部３６３は、頭が振られた速さや、頭が振られた距離に応じた移動量を補正指示に設定してもよい。またあるいは、ユーザ端末装置３ｄに、視線を検出するセンサを備えておき、ユーザが視線を動かした方向を検出する。送信部３６３は、ユーザの視線が当たっていた位置に画像が表示されていたオブジェクトのコンテンツＩＤと、検出された方向を移動方向として設定した補正指示をコンテンツ配信装置１ｄに送信する。このとき、送信部３６３は、視線が動いた距離に応じた移動量を補正指示に設定してもよい。
また、オブジェクトの画像の向きを回転させたい場合、ユーザは、タッチパネルに表示されているオブジェクトの画像をタップするなどの操作を行う。送信部３６３は、タップされた画面上の位置に画像が表示されていたオブジェクトのコンテンツＩＤと、回転を設定した補正指示をコンテンツ配信装置１ｄに送信する。
ユーザ端末装置３ｄは、ステップＳ８１５からの処理を繰り返す。
【０１３９】
送信部３６３は、ステップＳ８４５においてＮＯと判断した後、オブジェクトの削除指示が入力されたか否かを判断する（ステップＳ８５５）。
送信部３６３は、オブジェクトの削除指示が入力されたと判断した場合（ステップＳ８５５：ＹＥＳ）、入力された削除指示をコンテンツ配信装置１ｄに送信する（ステップＳ８６０）。例えば、ユーザは、タッチパネルに表示されている削除対象のオブジェクトの画像に指でタッチして画面外の方向にフリック操作をしたり、削除対象のオブジェクトの画像をダブルタップしたりする。送信部３６３は、このような削除操作が行われたオブジェクトのコンテンツＩＤを設定した削除指示をコンテンツ配信装置１ｄに送信する。
ユーザ端末装置３ｄは、ステップＳ８１５からの処理を繰り返す。
【０１４０】
一方、送信部３６３が、オブジェクトの削除指示が入力されていないと判断した場合（ステップＳ８５５：ＮＯ）、処理部３４ｄは、入力部３２により処理終了が入力されたか否かを判断する（ステップＳ８６５）。処理部３４ｄは、処理終了が入力されていないと判断した場合（ステップＳ８６５：ＮＯ）、ステップＳ８０５からの処理を繰り返す。
そして、処理部３４ｄは、ステップＳ８６５において処理終了が入力されたと判断した場合（ステップＳ８６５：ＹＥＳ）、処理を終了する。
【０１４１】
図３３は、コンテンツ配信装置１ｄにおけるコンテンツ配信処理のフロー図である。
コンテンツ配信装置１ｄの配信要求受信部１３１ｄが、ユーザ端末装置３ｄからコンテンツ配信要求を受信すると（ステップＳ９０５：ＹＥＳ）、合成部１６１は、重畳対象のオブジェクトコンテンツを取得する（ステップＳ９１０）。具体的には、処理部１３ｄは、図１４に示すステップＳ２１０〜ステップＳ２３５の処理を行う。ただし、ステップＳ２３５において、配信判断部１３２は、コンテンツ配信要求から取得したコンテンツＩＤと許可ＩＤを合成部１６１に出力する。合成部１６１は、配信判断部１３２からコンテンツＩＤ及び許可ＩＤを受信すると、コンテンツ管理情報から、そのコンテンツＩＤ及び許可ＩＤに対応したオブジェクトコンテンツ（またはオブジェクトコンテンツの記憶場所）を読み出す。合成部１６１は、記憶場所を読み出した場合、その記憶場所からオブジェクトコンテンツを読み出す。
【０１４２】
なお、処理部１３ｄが図１４の処理を実行する際、ステップＳ２２５においてＹＥＳと判断した場合、あるいは、ステップＳ２３０においてＮＯと判断した場合、配信判断部１３２は、配信用三次元画像コンテンツが生成されていなければ、ステップＳ２４５の処理を行ってエラーを通知する。一方、配信用三次元画像コンテンツが生成済みである場合、コンテンツ配信部１３３ｄは、後述する図３２のステップＳ９４５からの処理を行う。
【０１４３】
合成部１６１は、オブジェクトコンテンツを読み出すと、配信用三次元画像コンテンツを生成済みであるか否かを判断する（ステップＳ９１５）。合成部１６１は、配信用三次元画像コンテンツを生成済みであると判断した場合（ステップＳ９１５：ＹＥＳ）、後述するステップＳ９２５の処理を行う。
【０１４４】
合成部１６１は、配信用三次元画像コンテンツをまだ生成していないと判断した場合（ステップＳ９１５：ＮＯ）、コンテンツ管理情報記憶部１２１ｄから予めコンテンツＩＤと対応付けて記憶されている背景コンテンツを読み出し、配信用三次元画像コンテンツとする（ステップＳ９２０）。あるいは、視聴方向情報又は配置位置情報から取得した位置の情報により背景コンテンツを特定してもよい。また、ユーザ端末装置３ｄから背景コンテンツを特定する情報をさらに受信してもよい。合成部１６１は、受信した情報により特定されるコンテンツ管理情報記憶部１２１ｄから読み出し、配信用三次元画像コンテンツとする。
【０１４５】
合成部１６１は、配信判断部１３２から受信したコンテンツＩＤ及び許可ＩＤに対応した属性情報を、コンテンツ管理情報記憶部１２１ｄに記憶されるコンテンツ管理情報から読み出す（ステップＳ９２５）。合成部１６１は、コンテンツ配信要求に設定されている配置位置情報から配信用三次元画像コンテンツにおける三次元上の配置位置を得る。合成部１６１は、配置位置情報が地理的な絶対位置を示す場合は、背景画像における位置に変換する。合成部１６１は、現在の配信用三次元画像コンテンツに、読み出したオブジェクトコンテンツを、配信用三次元画像コンテンツにおける配置位置に配置するように重畳（合成）して、更新後の配信用三次元画像コンテンツを生成する（ステップＳ９３０）。配信用三次元画像コンテンツに重畳されるオブジェクトコンテンツには、そのオブジェクトコンテンツのコンテンツＩＤが付加される。
【０１４６】
さらに、合成部１６１は、読み出した属性情報が示す配置位置属性に従って、ステップＳ９３０において配置したオブジェクトコンテンツの三次元上の配置位置を補正する（ステップＳ９３５）。なお、合成部１６１は、合成前に、受信した配置位置情報が示す配置位置を配置位置属性に従って補正してもよい。この場合、合成部１６１は、現在の配信用三次元画像コンテンツに、オブジェクトコンテンツを、配信用三次元画像コンテンツにおける補正後の配置位置に配置するように重畳（合成）して、更新後の配信用三次元画像コンテンツを生成する。また、合成部１６１は、さらに、配置位置属性に従って、オブジェクトコンテンツの向きを補正してもよい。合成部１６１は、生成した配信用三次元画像コンテンツの表示に関する属性に、読み出した属性情報が示す画像加工属性に応じた加工を行う（ステップＳ９４０）。
【０１４７】
なお、合成部１６１は、オブジェクトコンテンツが読み出されなかった場合、ステップＳ９３０及びステップＳ９３５の処理を行わない。また、属性情報に配置位置属性が設定されていない場合、ステップＳ９３５の処理を行わず、属性情報に画像加工属性が設定されていない場合、ステップＳ９４０の処理を行わない。
【０１４８】
コンテンツ配信部１３３ｄは、配信用三次元画像コンテンツから、ユーザ端末装置３ｄから受信した視聴方向情報が示すユーザの方向や位置に応じた領域（部分）の三次元画像コンテンツを抽出する（ステップＳ９４５）。コンテンツ配信要求を受信した場合、コンテンツ配信部１３３ｄは、コンテンツ配信要求から視聴方向情報を取得する。コンテンツ配信部１３３ｄは、配信用三次元画像コンテンツから抽出した三次元画像コンテンツをユーザ端末装置３ｄに送信する（ステップＳ９５０）。
【０１４９】
視聴方向情報受信部１６２が、ユーザ端末装置３ｄから視聴方向情報を受信した場合、（ステップＳ９０５：ＮＯ、ステップＳ９５５：ＹＥＳ）、コンテンツ配信部１３３ｄは、ステップＳ９４５の処理を行う。すなわち、コンテンツ配信部１３３ｄは、配信用三次元画像コンテンツから、受信した視聴方向情報が示すユーザの方向や位置に応じた領域（部分）の三次元画像コンテンツを抽出し（ステップＳ９４５）、ユーザ端末装置３ｄに送信する（ステップＳ９５０）。
【０１５０】
補正指示受信部１６３が、ユーザ端末装置３ｄから補正指示を受信した場合（ステップＳ９０５：ＮＯ、ステップＳ９５５：ＮＯ、ステップＳ９６０：ＹＥＳ）、合成部１６１は、受信した補正指示に従って、配信用三次元画像コンテンツにおけるオブジェクトコンテンツの配置位置または向きを補正する（ステップＳ９６５）。
具体的には、合成部１６１は、配信用三次元画像コンテンツにおけるオブジェクトコンテンツの現在の配置位置を、補正指示が示す移動方向及び移動量に応じて補正する。補正指示にコンテンツＩＤが設定されている場合、合成部１６１は、そのコンテンツＩＤにより特定されるオブジェクトコンテンツのみ配置位置を移動する。また、補正指示に移動量が設定されていない場合、合成部１６１は、固定の移動量だけ配置位置を移動させる。
また、補正指示にコンテンツＩＤ及び回転が設定されている場合、合成部１６１は、配信用三次元画像コンテンツに重畳されているオブジェクトコンテンツのうち、補正指示に設定されているコンテンツＩＤにより特定されるオブジェクトコンテンツの向きを所定方向に所定角度だけ回転させる。
コンテンツ配信部１３３ｄは、配信用三次元画像コンテンツから、最後にユーザ端末装置３ｄから受信した視聴方向情報が示すユーザの方向や位置に応じた領域（部分）の三次元画像コンテンツを抽出し（ステップＳ９４５）、ユーザ端末装置３ｄに送信する（ステップＳ９５０）。
【０１５１】
削除指示受信部１６４が、ユーザ端末装置３ｄから削除指示を受信した場合（ステップＳ９０５：ＮＯ、ステップＳ９５５：ＮＯ、ステップＳ９６０：ＮＯ、ステップ９７０：ＹＥＳ）、合成部１６１はステップＳ９７５の処理を行う。すなわち、合成部１６１は、配信用三次元画像コンテンツに重畳されているオブジェクトコンテンツから、削除指示に設定されているコンテンツＩＤにより特定されるオブジェクトコンテンツを削除する（ステップＳ９７５）。
コンテンツ配信部１３３ｄは、配信用三次元画像コンテンツから、最後にユーザ端末装置３ｄから受信した視聴方向情報が示すユーザの方向や位置に応じた領域（部分）の三次元画像コンテンツを抽出し（ステップＳ９４５）、ユーザ端末装置３ｄに送信する（ステップＳ９５０）。
【０１５２】
なお、第３の実施形態に本実施形態を適用する場合、コンテンツ管理情報は、コンテンツＩＤと、コンテンツ名と、配信期間と、配信エリアと、三次元画像コンテンツ（または三次元画像コンテンツの記憶場所）と、三次元画像コンテンツの視聴を許可する許可ＩＤと、属性情報とを対応付けた情報である。
そして、図３３のステップＳ９１０において、処理部１３ｄは、図２４に示すステップＳ２１０〜ステップＳ２３５の処理を行う。ただし、ステップＳ２３５において、配信判断部１３２は、コンテンツ配信要求から取得したコンテンツＩＤと許可ＩＤを合成部１６１に出力する。そして、合成部１６１において、ステップＳ６０５〜Ｓ６１０の処理を行う。つまり、合成部１６１は、コンテンツ配信要求から現在時刻の情報及び現在位置の情報を取得する。合成部１６１は、コンテンツ管理情報に、コンテンツ配信要求から取得したコンテンツＩＤ及び許可ＩＤと、現在時刻が含まれる配信期間と、現在位置が含まれる配信エリアとに対応付けて、オブジェクトコンテンツが登録されていると判断した場合、そのオブジェクトコンテンツをコンテンツ管理情報から読み出す。なお、処理部１３ｄが図２４の処理を実行する際、ステップＳ２２５においてＹＥＳと判断した場合、ステップＳ２３０においてＮＯと判断した場合、あるいは、ステップＳ６１０においてＮＯと判断した場合、配信判断部１３２は、配信用三次元画像コンテンツが生成されていなければ、ステップＳ２４５の処理を行ってエラーを通知する。一方、配信用三次元画像コンテンツが生成済みである場合、コンテンツ配信部１３３ｄは、ステップＳ９４５からの処理を行う。
【０１５３】
続いて、コンテンツ配信システムの具体的な使用例を説明する。
１つ目の使用例として、ユーザが、雑誌に掲載されている家具を、部屋に配置したイメージを３次元画像により視聴する場合を説明する。
【０１５４】
図３４は、ＨＭＤ７をユーザが使用する状況を示す図である。ユーザは、雑誌（商品５）に掲載された家具の販売を行うショールームなどに備えられた部屋Ｒにいる。部屋Ｒの床や壁には、位置情報を印刷したマーカーＭが床や壁に貼ってある。
【０１５５】
図３５は、コンテンツ管理情報の設定例を示す図である。同図に示すようにコンテンツ管理情報には、椅子、カーテン、時計、…等の家具やインテリアのオブジェクトコンテンツについての情報が設定される。雑誌には、それらオブジェクトコンテンツのコンテンツＩＤ「Ｆ１」、「Ｆ２」、…それぞれを示す配信コンテンツ情報が印刷され、雑誌の付録のＨＭＤ７には許可ＩＤ「Ｐｆ」を示す許可情報が印刷される。
床の上に設置するオブジェクトのオブジェクトコンテンツについては、配置位置属性を「床」とし、窓に設置するオブジェクトのオブジェクトコンテンツについては、配置位置属性を「窓」とし、壁に設置するオブジェクトのオブジェクトコンテンツについては、配置位置属性を「壁」とし、天井にぶら下げられるオブジェクトのオブジェクトコンテンツについては、配置位置属性を「天井」とする。また、画像の明るさに影響を及ぼす照明などのオブジェクトコンテンツの画像加工属性には、どのように画像を加工するかが設定される。また、太陽のオブジェクトについてはオブジェクトコンテンツが登録されておらず、画像加工属性が登録されている。
【０１５６】
なお、配置位置属性によりオブジェクトコンテンツの向きの属性が得られるようにしてもよい。例えば、配置位置属性「床」の場合、部屋と向きが同じなるようにオブジェクトコンテンツが配置され、配置位置属性「窓」の場合、窓と並行になるようにオブジェクトコンテンツが配置され、配置位置属性「壁」の場合、壁と並行になるようにオブジェクトコンテンツを配置される。なお、配置位置属性に、オブジェクトの向きを明示的に設定してもよい。
【０１５７】
図３６は、配信用三次元画像コンテンツの生成例を示す図である。
まず、ユーザは、ＨＭＤ７の許可情報の撮像指示を入力部３２により入力する。許可情報取得部３４１は、撮像部３３が撮像した許可情報から許可ＩＤを取得する（ステップＳ１０５）。次に、ユーザは、設置したい家具が印刷されている雑誌のページの配信コンテンツ情報を開き、撮像指示をユーザ端末装置３ｄの入力部３２により入力する。配信コンテンツ情報取得部３４２は、撮像部３３が撮像した配信コンテンツ情報の画像のデータからコンテンツＩＤ及びＵＲＬを取得する（ステップＳ１１０）。
【０１５８】
ユーザは、部屋Ｒにおいて家具を設置したい場所に移動すると、ユーザ端末装置３ｄの撮像部３３により、家具を設置したい場所のマーカーＭを撮像する。配置位置情報取得部３６１は、撮像部３３が撮像した画像のデータから位置情報を取得し、配置位置情報とする（ステップＳ７０５）。さらに、視聴方向情報取得部３６２は、検出部４３が取得したユーザの向きと現在位置の情報を視聴方向情報として取得する（ステップＳ７１０）。送信部３６３は、取得したコンテンツＩＤ、許可ＩＤ、配置位置情報、及び、視聴方向情報を設定したコンテンツ配信要求をコンテンツ配信装置１ｄに送信する（ステップＳ７１５）。
【０１５９】
コンテンツ配信装置１ｄの配信要求受信部１３１ｄがユーザ端末装置３ｄからコンテンツ配信要求を受信すると（ステップＳ９０５：ＹＥＳ）、合成部１６１は、コンテンツ配信要求に設定されているコンテンツＩＤ及び許可ＩＤに基づいてオブジェクトコンテンツを取得する（ステップＳ９１０）。例えば、コンテンツＩＤが「Ｆ１」、許可ＩＤが「Ｐｆ」である場合、合成部１６１は、コンテンツ名「椅子」のオブジェクトコンテンツＦ１をコンテンツ管理情報から読み出す。合成部１６１は、視聴方向情報が示す現在位置に対応した部屋Ｒの背景コンテンツＪ１をコンテンツ管理情報記憶部１２１ｄから読み出す。
【０１６０】
合成部１６１は、背景コンテンツＪ１を、図３６（ａ）に示すように配信用三次元画像コンテンツＧ１１とする（ステップＳ９１５：ＮＯ、ステップＳ９２０）。背景コンテンツＪ１は、部屋Ｒを事前に撮影して生成した三次元画像コンテンツである。この背景コンテンツＪ１からは、位置と向きを指定することにより、指定された位置から指定された向きで見たときの三次元画像コンテンツを取得可能である。
【０１６１】
合成部１６１は、コンテンツＩＤ及び許可ＩＤに対応した属性情報をコンテンツ管理情報から読み出す（ステップＳ９２５）。ここでは、オブジェクトコンテンツＦ１の属性情報が読み出されたとする。合成部１６１は、現在の配信用三次元画像コンテンツＧ１１に、オブジェクトコンテンツＦ１を重畳（合成）して、図３６（ｂ）に示す配信用三次元画像コンテンツＧ１２を生成する（ステップＳ９３０）。オブジェクトコンテンツＦ１は、配信用三次元画像コンテンツＧ１１の画像に、配置位置情報が示す三次元上の配置位置に配置されるようにして重畳される。
【０１６２】
合成部１６１は、生成された配信用三次元画像コンテンツＧ１２におけるオブジェクトコンテンツＦ１の配置位置を、オブジェクトコンテンツＦ１の属性情報に設定されている配置位置属性「床」と一致するように補正する。例えば、オブジェクトコンテンツＦ１を配置する方向は合っているが、下端が配信用三次元画像コンテンツＧ１２の床の高さより上になるように配置される場合がある。そこで、合成部１６１は、配信用三次元画像コンテンツＧ１２におけるオブジェクトコンテンツＦ１の配置位置を、オブジェクトコンテンツＦ１の下端が床の高さと一致するように補正する（ステップＳ９３５）。さらに、合成部１６１は、図３６（ｃ）に示すように、配信用三次元画像コンテンツＧ１２に重畳されている背景コンテンツＪ１（または配信用三次元画像コンテンツＧ１２）における部屋の向きと、オブジェクトコンテンツＦ１の向きを合わせるように、オブジェクトコンテンツＦ１１を回転させてもよい。合成部１６１は、ステップＳ９３０において、例えば、カーペットなど配置位置属性が「床」であるオブジェクトコンテンツを重畳した場合も、同様に向きを含めて配置位置を補正する。また、例えば、合成部１６１は、時計など配置位置属性が「壁」であるオブジェクトコンテンツを重畳した場合は、オブジェクトコンテンツの配置位置を配信用三次元画像コンテンツにおける壁の位置に補正し、壁と並行になるように向きを回転させる。なお、合成部１６１は、オブジェクトコンテンツＦ１の配置位置補正後の配信用三次元画像コンテンツを生成してもよく、オブジェクトコンテンツＦ１を最初の配置位置から補正後の配置位置に移動する動画の配信用三次元画像コンテンツを生成してもよい。
【０１６３】
コンテンツ配信部１３３ｄは、オブジェクトコンテンツＦ１の配置位置を補正した配信用三次元画像コンテンツＧ１２から、コンテンツ配信要求に設定されている視聴方向情報が示すユーザの位置や向きに応じた領域の三次元画像コンテンツを抽出し（ステップＳ９４５）、ユーザ端末装置３ｄに送信する（ステップＳ９５０）。ユーザ端末装置３ｄの表示制御部３４５は、コンテンツ配信装置１ｄから受信した三次元画像コンテンツを表示部３５に表示する（ステップＳ１２０：ＹＥＳ〜ステップＳ１２５）。これにより、ユーザは、現在の位置から椅子が設置された部屋Ｒを見たときの三次元画像コンテンツを視聴することができる。
【０１６４】
ユーザが部屋Ｒの中を移動すると、ユーザ端末装置３ｄの視聴方向情報取得部３６２は、検出部４３が新たに取得したユーザの向きと現在位置の情報を視聴方向情報としてコンテンツ配信装置１ｄに送信する（ステップＳ８０５：ＹＥＳ、ステップＳ８１０）。コンテンツ配信装置１ｄの視聴方向情報受信部１６２は、ユーザ端末装置３ｄから新たな視聴方向情報を受信する（ステップＳ９０５、ＮＯ、ステップＳ９５５：ＹＥＳ）。コンテンツ配信部１３３ｄは、既に生成されている配信用三次元画像コンテンツＧ１２から、新たに受信した視聴方向情報が示すユーザの位置や向きに応じた領域の三次元画像コンテンツを抽出し（ステップＳ９４５）、ユーザ端末装置３ｄに送信する（ステップＳ９５０）。ユーザ端末装置３ｄの表示制御部３４５は、コンテンツ配信装置１ｄから受信した三次元画像コンテンツを表示部３５に表示する（ステップＳ８１５〜ステップＳ８２０）。これにより、ユーザは、移動した位置から部屋Ｒを見たときの三次元画像コンテンツを視聴することができる。
【０１６５】
ユーザは、椅子の位置を動かしたい場合、ユーザ端末装置３ｄに表示されている椅子の画像を、指でタッチしたまま、移動させたい方向に動かす（ステップＳ８４５：ＹＥＳ）。ユーザ端末装置３ｄの送信部３６３は、椅子のコンテンツＩＤと、移動方向及び移動量を設定した補正指示をコンテンツ配信装置１ｄに送信する（ステップＳ８５０）。
コンテンツ配信装置１ｄの合成部１６１は、補正指示受信部１６３が受信した補正指示からコンテンツＩＤ、移動方向及び移動量を取得する。合成部１６１は、配信用三次元画像コンテンツＧ１２における椅子のオブジェクトコンテンツＦ１の配置位置を、補正指示に従って補正する（ステップＳ９６０：ＹＥＳ、ステップＳ９６５）。コンテンツ配信部１３３ｄは、オブジェクトコンテンツＦ１１の配置位置を補正した配信用三次元画像コンテンツＧ１２から、最新の視聴方向情報が示すユーザの位置や向きに応じた領域の三次元画像コンテンツを抽出し（ステップＳ９４５）、ユーザ端末装置３ｄに送信する（ステップＳ９５０）。これにより、ユーザは、部屋Ｒに設置した椅子の位置を移動させたときの三次元画像コンテンツを視聴することができる。このようにして位置を補正することができるので、部屋Ｒに狭い間隔でマーカーＭを設置する必要がない。
【０１６６】
ユーザは、部屋Ｒにおいて違う家具を設置したい場所に移動する。移動する間も、ユーザ端末装置３ｄは、移動により新たに取得したユーザの向きと現在位置の情報を示す視聴方向情報をコンテンツ配信装置１ｄに送信する。コンテンツ配信装置１ｄは、配信用三次元画像コンテンツＧ１２から、新たに受信した視聴方向情報が示すユーザの位置や向きに応じた領域の三次元画像コンテンツを抽出して、ユーザ端末装置３ｄに送信する。
【０１６７】
ユーザは、設置したい新たな家具が掲載されている雑誌のページに印刷されている配信コンテンツ情報をユーザ端末装置３ｄの撮像部３３により撮像する（ステップＳ８２５：ＹＥＳ）。配信コンテンツ情報取得部３４２は、撮像部３３が撮像した配信コンテンツ情報の画像のデータからコンテンツＩＤ及びＵＲＬを取得する（ステップＳ８３０）。さらに、ユーザは、ユーザ端末装置３ｄの撮像部３３により、家具を設置したい場所のマーカーＭを撮像する。配置位置情報取得部３６１は、撮像部３３が撮像した画像のデータから位置情報を取得し、配置位置情報とする（ステップＳ８３５）。送信部３６３は、取得したコンテンツＩＤ及び配置位置情報と、記憶していた許可ＩＤとを設定したコンテンツ配信要求をコンテンツ配信装置１ｄに送信する（ステップＳ８４０）。
【０１６８】
コンテンツ配信装置１ｄの配信要求受信部１３１ｄがコンテンツ配信要求を受信すると（ステップＳ９０５：ＹＥＳ）、合成部１６１は、コンテンツ配信要求に設定されているコンテンツＩＤ及び許可ＩＤに基づいてオブジェクトコンテンツを取得する（ステップＳ９１０）。例えば、コンテンツＩＤが「Ｆ４」、許可ＩＤが「Ｐｆ」である場合、合成部１６１は、コンテンツ名「照明１」のオブジェクトコンテンツＦ４をコンテンツ管理情報から読み出す。合成部１６１は、配信用三次元画像コンテンツＧ１２が生成されているため、背景コンテンツの読み出しは行わない（ステップＳ９１５：ＹＥＳ）。
【０１６９】
合成部１６１は、コンテンツＩＤ「Ｆ４」及び許可ＩＤが「Ｐｆ」に対応した属性情報をコンテンツ管理情報から読み出す（ステップＳ９２５）。合成部１６１は、配信用三次元画像コンテンツＧ１２に、オブジェクトコンテンツＦ４を重畳（合成）して配信用三次元画像コンテンツを生成する（ステップＳ９３０）。オブジェクトコンテンツＦ４は、配信用三次元画像コンテンツＧ１２の画像に、配置位置情報が示す三次元上の配置位置に配置されるようにして重畳される。ここで生成された配信用三次元画像コンテンツは、背景コンテンツＪ１と、オブジェクトコンテンツＦ１と、オブジェクトコンテンツＦ４とを重畳した三次元画像コンテンツである。
【０１７０】
合成部１６１は、生成された配信用三次元画像コンテンツにおけるオブジェクトコンテンツＦ４の配置位置を、属性情報に設定されている配置位置属性「天井」と一致するように補正する。例えば、オブジェクトコンテンツＦ４の上端が配信用三次元画像コンテンツにおける天井より下や上の高さに配置される場合がある。そこで、合成部１６１は、オブジェクトコンテンツＦ４の配置位置を、オブジェクトコンテンツＦ４の上端が天井の高さと一致するように補正する（ステップＳ９３５）。さらに、合成部１６１は、配信用三次元画像コンテンツに重畳されている背景コンテンツＪ１（または配信用三次元画像コンテンツ）における部屋の向きと、オブジェクトコンテンツＦ４の向きを合わせるように、オブジェクトコンテンツＦ４を回転させてもよい。合成部１６１は、オブジェクトコンテンツＦ４の位置を補正した配信用三次元画像コンテンツに対し、画像加工属性が示すように「１段階明るく」する加工を行う（ステップＳ９４０）。コンテンツ配信部１３３ｄは、加工された配信用三次元画像コンテンツから、最新の視聴方向情報が示すユーザの位置や向きに応じた領域の三次元画像コンテンツを抽出し（ステップＳ９４５）、ユーザ端末装置３ｄに送信する（ステップＳ９５０）。
【０１７１】
上記を繰り返すことにより、ユーザは、部屋Ｒに、家具を設置したときのイメージを三次元画像により視聴することができる。
なお、ユーザ端末装置３ｄは、例えば、雑誌や、展示場などに展示している実物の家具（商品５）からコンテンツＩＤを予め読み取って、記憶しておいてもよい。この場合、コンテンツＩＤに家具の名称などを表すコンテンツ名を付加しておくことが望ましい。ユーザは、ユーザ端末装置３ｄが表示部３５に表示するコンテンツ名の中から、部屋Ｒに設置する家具のコンテンツ名を入力部３２により選択する。ユーザ端末装置３ｄの送信部３６３は、選択されたコンテンツ名に対応したコンテンツＩＤをコンテンツ配信要求に設定する。
【０１７２】
図３７は、複数の家具のオブジェクトを設置したときの配信用三次元画像コンテンツの例を示す図である。同図では、部屋Ｒの三次元画像コンテンツである背景コンテンツＪ１に、オブジェクトコンテンツＦ２１〜Ｆ２８を重畳した配信用三次元画像コンテンツが生成されている。同図に示すユーザは、配信用三次元画像コンテンツにおけるユーザの仮想的な位置を示す。ユーザは、この配信用三次元画像コンテンツから抽出された三次元画像コンテンツをＨＭＤ７により視聴することによって、実際にオブジェクトコンテンツＦ２１〜Ｆ２８の家具を設置した部屋Ｒにいるような没入感を体験することができる。
【０１７３】
次に２つ目の使用例として、ユーザが、３次元画像のゲーム画面に、ゲームカードのキャラクターを登場させる場合を説明する。
【０１７４】
図３８は、コンテンツ管理情報の設定例を示す図である。同図に示すようにコンテンツ管理情報には、ゲーム画面に登場可能なキャラクターのオブジェクトコンテンツについての情報が設定される。例えば、ゲームカードシリーズを構成する複数のカードそれぞれにより、オブジェクトコンテンツＨ１、Ｈ２、Ｈ３、…を視聴可能とする。コンテンツＨ１にはコンテンツＩＤ「Ｈ１００００」〜「Ｈ１９９９９」を割り当て、コンテンツＨ２にはコンテンツＩＤ「Ｈ２００００」〜「Ｈ２９９９９」を割り当てる。そして、１００００枚のカードＨ１には、重複がないように、コンテンツＩＤが「Ｈ１００００」〜「Ｈ１９９９９」のいずれかを示す配信コンテンツ情報を印刷し、１００００枚のカードＨ２には、重複がないように、コンテンツＩＤが「Ｈ２００００」〜「Ｈ２９９９９」のいずれかを示す配信コンテンツ情報を印刷する。また、このゲームカードシリーズのＨＭＤ７には、許可ＩＤ「Ｐｈ００００」〜「Ｐｈ９９９９」を使用する。
【０１７５】
地面を移動したり、地面に置かれたりするオブジェクトのオブジェクトコンテンツついては、配置位置属性を「地面」とし、空を移動したり、空に浮かぶオブジェクトのオブジェクトコンテンツについては、配置位置属性を「空」とする。なお、配置位置属性が空である場合は、地面からの高さを設定してもよい。また、画像の明るさに影響を及ぼす太陽や積乱雲などのすオブジェクトコンテンツの画像加工属性には、どのように画像の表示に関する属性を加工するかが設定される。
【０１７６】
図３９は、ユーザ端末装置３ｄが表示する三次元画像コンテンツの例を示す図である。
まず、ユーザは、撮像部３３によりＨＭＤ７の許可情報を撮像する。許可情報取得部３４１は、許可情報の画像データから許可ＩＤ「Ｐｈ５０００」を取得する（ステップＳ１０５）。次に、ユーザは、ユーザ端末装置３ｄの撮像部３３により、蛙（子）のカード（商品５）に印刷されている配信コンテンツ情報を撮像する。配信コンテンツ情報取得部３４２は、配信コンテンツ情報の画像のデータからコンテンツＩＤ「Ｈ１００００」及びＵＲＬを取得する（ステップＳ１１０）。ユーザ端末装置３ｄの配置位置情報取得部３６１は、検出部４３が取得したユーザの向きの情報を配置位置情報とする（ステップＳ７０５）。また、視聴方向情報取得部３６２も、検出部４３が取得したユーザの向きの情報を視聴方向情報とする。送信部３６３は、取得したコンテンツＩＤ、許可ＩＤ、配置位置情報、及び、視聴方向情報を設定したコンテンツ配信要求をコンテンツ配信装置１ｄに送信する（ステップＳ７１５）。
【０１７７】
コンテンツ配信装置１ｄの配信要求受信部１３１ｄがコンテンツ配信要求を受信すると（ステップＳ９０５：ＹＥＳ）、合成部１６１は、コンテンツ配信要求に設定されているコンテンツＩＤ及び許可ＩＤに基づいてオブジェクトコンテンツＨ１を取得する（ステップＳ９１０）。合成部１６１は、コンテンツＩＤまたは許可ＩＤに対応した背景コンテンツＪ２をコンテンツ管理情報記憶部１２１ｄから読み出し、配信用三次元画像コンテンツとする（ステップＳ９１５：ＮＯ、ステップＳ９２０）。
【０１７８】
合成部１６１は、コンテンツＩＤ及び許可ＩＤに対応した属性情報をコンテンツ管理情報から読み出す（ステップＳ９２５）。合成部１６１は、コンテンツ配信要求に設定されている配置位置情報からユーザの向きの情報を取得し、背景コンテンツ（または配信用三次元画像コンテンツ）の中心位置などの三次元上の所定位置から、取得した情報が示す向きに所定の距離進んだ位置を配置位置として取得する。合成部１６１は、現在の配信用三次元画像コンテンツに、オブジェクトコンテンツＨ１を重畳（合成）して、更新後の配信用三次元画像コンテンツを生成する（ステップＳ９３０）。オブジェクトコンテンツＨ１は、配信用三次元画像コンテンツの画像に、取得した三次元上の配置位置に配置されるようにして重畳される。
【０１７９】
合成部１６１は、更新後の配信用三次元画像コンテンツにおけるオブジェクトコンテンツＨ１の配置位置を属性情報に設定されている配置位置「地面」と一致するように補正する。つまり、合成部１６１は、配信用三次元画像コンテンツにおけるオブジェクトコンテンツＨ１の配置位置を、オブジェクトコンテンツＨ１の下端が地面の高さと一致するように補正する（ステップＳ９３５）。コンテンツ配信部１３３ｄは、新たに生成した配信用三次元画像コンテンツから、コンテンツ配信要求に設定されている視聴方向情報が示すユーザの向きに応じた領域の三次元画像コンテンツを抽出し（ステップＳ９４５）、ユーザ端末装置３ｄに送信する（ステップＳ９５０）。
【０１８０】
さらにユーザは、ユーザ端末装置３ｄの撮像部３３により雲Ａのカード（商品５）を撮像し、撮像した画像のデータからコンテンツＩＤ「Ｈ８０１００」を取得する（ステップＳ７２５：ＹＥＳ、ステップＳ７３０）。ユーザ端末装置３ｄの送信部３６３は、取得したコンテンツＩＤと、読み込み済みの許可ＩＤと、ユーザの向きを示す配置位置情報とを設定したコンテンツ配信要求をコンテンツ配信装置１ｄに送信する（ステップＳ８２５；ＹＥＳ〜ステップＳ８４０）。
【０１８１】
コンテンツ配信装置１ｄの合成部１６１は、受信したコンテンツＩＤ「Ｈ８０１００」及び許可ＩＤ「Ｐｈ５０００」に対応したオブジェクトコンテンツＨ８と属性情報を読み出す（ステップＳ９０５：ＹＥＳ〜ステップＳ９２５）。合成部１６１は、配信用三次元画像コンテンツの中心位置など三次元上の所定位置から、受信した配置位置情報が示す向きに、所定の距離進んだ位置を配置位置として取得する。合成部１６１は、現在の配信用三次元画像コンテンツに、オブジェクトコンテンツＨ８を重畳（合成）して、配信用三次元画像コンテンツＧ２１を生成する（ステップＳ９３０）。オブジェクトコンテンツＨ８は、現在の配信用三次元画像コンテンツの画像に、取得した三次元上の配置位置に配置されるようにして重畳される。
【０１８２】
合成部１６１は、配信用三次元画像コンテンツにおけるオブジェクトコンテンツＨ８の配置位置を、属性情報に設定されている配置位置「空（地面からの高さＷ）」と一致するように補正する（ステップＳ９３５）。コンテンツ配信部１３３ｄは、配信用三次元画像コンテンツＧ２１から、最新の視聴方向情報が示すユーザの向きに応じた領域の三次元画像コンテンツを抽出し（ステップＳ９４５）、ユーザ端末装置３ｄに送信する（ステップＳ９５０）。ユーザ端末装置３ｄの表示制御部３４５は、図３９（ａ）に示すように、コンテンツ配信装置１ｄから受信した三次元画像コンテンツを表示部３５に表示する（ステップＳ８１５〜ステップＳ８２０）。
【０１８３】
同様にして、ユーザ端末装置３ｄが蛙（ママ）、鳩、雲Ｂのカードを読み込むことにより、コンテンツ配信装置１ｄは背景コンテンツＪ２、オブジェクトコンテンツＨ１、Ｈ２、Ｈ４、Ｈ８、Ｈ９を重畳した配信用三次元画像コンテンツＧ２２を生成する。コンテンツ配信装置１ｄは、配信用三次元画像コンテンツＧ２２から、ユーザの向きに対応した範囲を抽出した三次元画像コンテンツをユーザ端末装置３ｄに送信する。ユーザ端末装置３ｄの表示制御部３４５は、図３９（ｂ）に示す三次元画像コンテンツを表示部３５に表示する（ステップＳ８１５〜ステップＳ８２０）。
【０１８４】
ユーザが、ＨＭＤ７により配信用三次元画像コンテンツを視聴しながら、頭を横に回転させると、ユーザ端末装置３ｄは、新たに取得したユーザの向きの情報をコンテンツ配信装置１ｄに送信する。コンテンツ配信装置１ｄは、配信用三次元画像コンテンツＧ２２から、新たに受信したユーザの向きに応じた領域の三次元画像コンテンツを抽出して、ユーザ端末装置３ｄに送信する。ユーザ端末装置３ｄの表示制御部３４５は、コンテンツ配信装置１ｄから受信した三次元画像コンテンツを表示部３５に表示する。これにより、ユーザは、異なる方向を見たときの三次元画像コンテンツを視聴することができる。
【０１８５】
なお、上記においては、背景コンテンツとオブジェクトコンテンツを重畳して配信用三次元画像コンテンツを生成しているが、オブジェクトコンテンツ（配信が許可された三次元画像コンテンツ）のみを重畳して配信用三次元画像コンテンツを生成してもよい。
【０１８６】
また、ユーザの指示が入力されなくても、配信コンテンツ情報取得部３４２が、撮像部３３が継続して撮像している動画像データから配信コンテンツ情報を検出した場合に、ユーザ端末装置３ｄがステップＳ７０５以降の処理、又は、ステップＳ８３５以降の処理を実行するようにしてもよい。これにより、ユーザは、都度操作を行わなくとも、ユーザ端末装置３ｄの撮像部３３に商品５をかざしたり、撮像部３３を商品５に向けたりするだけで、次々とオブジェクトが追加された三次元画像コンテンツを視聴することができる。
【０１８７】
例えば、関連する複数の商品それぞれにより異なるオブジェクトコンテンツが得られるようにすることで、ユーザは購入した商品に応じて異なる三次元画像コンテンツを視聴することができる。よって、それらの商品をシリーズで購入する動機付けとなり、販売促進に有効である。
【０１８８】
なお、上述のコンテンツ配信装置１、１ａ、１ｂ、１ｃ、１ｄ及びユーザ端末装置３、３ａ、３ｂ、３ｃ、３ｄは、内部にコンピュータシステムを有している。そして、コンテンツ配信装置１、１ａ、１ｂ、１ｃ、１ｄ及びユーザ端末装置３、３ａ、３ｂ、３ｃ、３ｄの動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【０１８９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１９０】
以上、この発明の実施形態について図面を参照して詳述してきたが、具体的な構成はこの実施形態に限られるものではなく、この発明の要旨を逸脱しない範囲の設計等も含まれる。
【符号の説明】
【０１９１】
１、１ａ、１ｂ、１ｃ、１ｄ  コンテンツ配信装置
３、３ａ、３ｂ、３ｃ、３ｄ  ユーザ端末装置
５  商品
７  ＨＭＤ(ヘッドマウントディスプレイ）
９  ネットワーク
１１  通信部
１２、１２ａ、１２ｂ、１２ｃ、１２ｄ  記憶部
１３、１３ａ、１３ｂ、１３ｃ、１３ｄ  処理部
３１  通信部
３２  入力部
３３  撮像部
３４、３４ａ、３４ｂ、３４ｃ、３４ｄ  処理部
３５  表示部
４１  時刻情報取得部
４２  位置情報取得部
４３  検出部
１２１、１２１ａ、１２１ｂ、１２１ｃ、１２１ｄ  コンテンツ管理情報記憶部
１２２  利用登録情報記憶部
１３１、１３１ｄ  配信要求受信部
１３２  配信判断部
１３３、１３３ｂ、１３３ｃ、１３３ｄ  コンテンツ配信部
１４１  割当部
１５１  問合送信部
１６１  合成部
１６２  視聴方向情報受信部
１６３  補正指示受信部
１６４  削除指示受信部
３４１、３４１ａ  許可情報取得部
３４２  配信コンテンツ情報取得部
３４３、３４３ｂ  コンテンツ要求部
３４４  受信部
３４５  表示制御部
３５１  問合部
３６１  配置位置情報取得部
３６２  視聴方向情報取得部
３６３  送信部
【図１】
0006497198.tif 000002
【図２】
0006497198.tif 000003
【図３】
0006497198.tif 000004
【図４】
0006497198.tif 000005
【図５】
0006497198.tif 000006
【図６】
0006497198.tif 000007
【図７】
0006497198.tif 000008
【図８】
0006497198.tif 000009
【図９】
0006497198.tif 000010
【図１０】
0006497198.tif 000011
【図１１】
0006497198.tif 000012
【図１２】
0006497198.tif 000013
【図１３】
0006497198.tif 000014
【図１４】
0006497198.tif 000015
【図１５】
0006497198.tif 000016
【図１６】
0006497198.tif 000017
【図１７】
0006497198.tif 000018
【図１８】
0006497198.tif 000019
【図１９】
0006497198.tif 000020
【図２０】
0006497198.tif 000021
【図２１】
0006497198.tif 000022
【図２２】
0006497198.tif 000023
【図２３】
0006497198.tif 000024
【図２４】
0006497198.tif 000025
【図２５】
0006497198.tif 000026
【図２６】
0006497198.tif 000027
【図２７】
0006497198.tif 000028
【図２８】
0006497198.tif 000029
【図２９】
0006497198.tif 000030
【図３０】
0006497198.tif 000031
【図３１】
0006497198.tif 000032
【図３２】
0006497198.tif 000033
【図３３】
0006497198.tif 000034
【図３４】
0006497198.tif 000035
【図３５】
0006497198.tif 000036
【図３６】
0006497198.tif 000037
【図３７】
0006497198.tif 000038
【図３８】
0006497198.tif 000039
【図３９】
0006497198.tif 000040